(57)【要約】マルチキャリア／マルチセル不連続受信（ＤＲＸ）／不連続送信（ＤＴＸ）動作、セカンダリキャリア／セルの自律的な非アクティブ化、ならびにＤＲＸ／ＤＴＸおよびセカンダリキャリア／セルの明示的なアクティブ化／非アクティブ化のための方法および装置が開示される。ユーザ機器（ＵＥ）は、複数のセルにおけるＤＲＸおよび／またはＤＴＸを制御するための少なくとも１つの状態変数を設定し、セルグループ毎に、セルのサブセットに関連付けられた状態変数に基づいて、セルのサブセットにおけるＤＲＸおよび／またはＤＴＸ動作を実行することができる。ＵＥは、ネットワークからの指令に基づいて、すべてのセル、セルのグループ、または個別のセルについて、ＤＲＸおよび／またはＤＴＸをアクティブ化または非アクティブ化することができる。ＵＥは、セルにおけるアクティビティに基づいて、セカンダリセルを自律的に非アクティブ化することができる。
2013516927.tif 000002
【特許請求の範囲】
【請求項１】
マルチセル動作のための不連続受信（ＤＲＸ）および／または不連続送信（ＤＴＸ）を実行する方法であって、
ユーザ機器（ＵＥ）が、複数のセルにおいてＤＲＸおよび／またはＤＴＸを制御するための少なくとも１つの状態変数を設定するステップと、
前記ＵＥが、セルグループ毎に、セルのサブセットに関連付けられた状態変数に基づいて、セルの前記サブセットにおいてＤＲＸおよび／またはＤＴＸ動作を実行するステップと
を備えることを特徴とする方法。
【請求項２】
グループ固有の状態変数が、セルのサブセット毎に設定され、セルのサブセット毎のＤＲＸおよび／またはＤＴＸ動作が、セルグループ毎に、関連付けられたグループ固有の状態変数に基づいて実行されることを特徴とする請求項１に記載の方法。
【請求項３】
単一の状態変数が、すべてのセルのために設定され、セルのサブセット毎のＤＲＸおよび／またはＤＴＸ動作が、セルグループ毎に、単一の状態変数に基づいて実行されることを特徴とする請求項１に記載の方法。
【請求項４】
前記ＵＥが、共通のＤＲＸ監視をすべてのセルに、グループ固有のＤＲＸ監視をセルの各グループに、またはセル固有のＤＲＸ監視を各セルに適用することを特徴とする請求項１に記載の方法。
【請求項５】
前記ＵＥが、ＤＲＸおよび／またはＤＴＸのアクティブ化／非アクティブ化のための指令を受信するステップと、
前記ＵＥが、前記指令に基づいて、ＤＲＸおよび／またはＤＴＸをアクティブ化／非アクティブ化するステップであって、前記指令は、すべてのセルに、セルのグループに、または個別のセルに適用される、ステップと
をさらに備えることを特徴とする請求項１に記載の方法。
【請求項６】
セカンダリセルをアクティブ化および非アクティブ化する方法であって、
セカンダリセルをアクティブ化および／または非アクティブ化するための高速共用制御チャネル（ＨＳ−ＳＣＣＨ）指令を受信するステップと、
前記ＨＳ−ＳＣＣＨ指令に従って、前記セカンダリセルをアクティブ化および／または非アクティブ化するステップであって、前記ＨＳ−ＳＣＣＨ指令は、セカンダリセルのサブセットに適用される、ステップと
を備えることを特徴とする方法。
【請求項７】
前記セカンダリセルは、少なくとも２つのサブセットにグループ化され、第１のセブセット内のセカンダリセルは、個別にアクティブ化および／または非アクティブ化され、第２のセブセット内のセカンダリセルは、グループとしてアクティブ化および／または非アクティブ化されることを特徴とする請求項６に記載の方法。
【請求項８】
セカンダリセルの前記第２のサブセットのための第２のＨＳ−ＳＣＣＨ指令を受信するステップと、
前記第２のＨＳ−ＳＣＣＨ指令に基づいて、セカンダリセルの前記第２のサブセットを個別に、またはセルのサブグループとしてアクティブ化および／または非アクティブ化するステップと
をさらに備えることを特徴とする請求項７に記載の方法。
【請求項９】
セカンダリセルをアクティブ化および非アクティブ化する方法であって、
少なくとも１つのセカンダリセルをアクティブ化するステップと、
非アクティビティタイマを使用して、前記セカンダリセルにおける、または前記セカンダリセルを含むセルのグループにおけるアクティビティを監視するステップと、
前記セカンダリセルに、またはセルの前記グループに関連付けられた前記非アクティビティタイマが満了したという条件で、前記セカンダリセルを、または前記グループ内のすべてのセカンダリセルを自律的に非アクティブ化するステップであって、前記非アクティビティタイマは、前記セカンダリセルにおいて、または前記セカンダリセルを含むセルのグループにおいてアクティビティがあったときに初期化される、ステップと
を備えることを特徴とする方法。
【請求項１０】
前記セカンダリセルにおいて不連続受信（ＤＲＸ）に入るステップであって、セカンダリキャリアにおいてＤＲＸに入った後に前記非アクティビティタイマが満了したという条件で、前記ＵＥが、前記セカンダリセルを自律的に非アクティブ化する、ステップ
をさらに備えることを特徴とする請求項９に記載の方法。
【請求項１１】
マルチセル動作のための不連続受信（ＤＲＸ）および／または不連続送信（ＤＴＸ）を実行するユーザ機器（ＵＥ）であって、
複数のセルにおいてＤＲＸおよび／またはＤＴＸを制御するための少なくとも１つの状態変数を維持し、セルグループ毎に、セルのサブセットに関連付けられた状態変数に基づいて、セルの前記サブセットにおいてＤＲＸおよび／またはＤＴＸ動作を実行するように構成されたプロセッサ
を備えたことを特徴とするＵＥ。
【請求項１２】
前記プロセッサは、セルのサブセット毎にグループ固有の状態変数を維持し、セルグループ毎に、関連付けられたグループ固有の状態変数に基づいて、セルのサブセット毎のＤＲＸおよび／またはＤＴＸ動作を実行するように構成されることを特徴とする請求項１１に記載のＵＥ。
【請求項１３】
前記プロセッサは、すべてのセルのために単一の状態変数を維持し、セルグループ毎に、前記単一の状態変数に基づいて、セルのサブセット毎のＤＲＸおよび／またはＤＴＸをアクティブ化および非アクティブ化するように構成されることを特徴とする請求項１１に記載のＵＥ。
【請求項１４】
前記プロセッサは、共通のＤＲＸ監視をすべてのセルに、グループ固有のＤＲＸ監視をセルの各グループに、またはセル固有のＤＲＸ監視を各セルに適用するように構成されることを特徴とする請求項１１に記載のＵＥ。
【請求項１５】
前記プロセッサは、ＤＲＸおよび／またはＤＴＸのアクティブ化／非アクティブ化のための指令を受信し、前記指令に基づいて、ＤＲＸおよび／またはＤＴＸをアクティブ化／非アクティブ化するように構成され、前記指令は、すべてのセルに、セルのグループに、または個別のセルに適用されることを特徴とする請求項１１に記載のＵＥ。
【請求項１６】
セカンダリセルをアクティブ化および非アクティブ化するユーザ機器（ＵＥ）であって、
セカンダリセルをアクティブ化および／または非アクティブ化するための高速共用制御チャネル（ＨＳ−ＳＣＣＨ）指令を受信し、前記ＨＳ−ＳＣＣＨ指令に従って、前記セカンダリセルをアクティブ化および／または非アクティブ化するように構成されたプロセッサであって、前記ＨＳ−ＳＣＣＨ指令は、セカンダリセルのサブセットに適用される、プロセッサ
を備えたことを特徴とするＵＥ。
【請求項１７】
前記セカンダリセルは、少なくとも２つのサブセットにグループ化され、第１のセブセット内のセカンダリセルは、個別にアクティブ化および／または非アクティブ化され、第２のセブセット内のセカンダリセルは、グループとしてアクティブ化および／または非アクティブ化されることを特徴とする請求項１６に記載のＵＥ。
【請求項１８】
前記プロセッサは、セカンダリセルの前記第２のサブセットのための第２のＨＳ−ＳＣＣＨ指令を受信し、前記第２のＨＳ−ＳＣＣＨ指令に基づいて、セカンダリセルの前記第２のサブセットを個別に、またはセルのサブグループとしてアクティブ化および／または非アクティブ化するように構成されることを特徴とする請求項１７に記載のＵＥ。
【請求項１９】
セカンダリセルをアクティブ化および非アクティブ化するユーザ機器（ＵＥ）であって、
少なくとも１つのセカンダリセルをアクティブ化し、非アクティビティタイマを使用して、前記セカンダリセルにおける、または前記セカンダリセルを含むセルのグループにおけるアクティビティを監視し、前記セカンダリセルに、またはセルの前記グループに関連付けられた前記非アクティビティタイマが満了したという条件で、前記セカンダリセルを、または前記グループ内のすべてのセカンダリセルを自律的に非アクティブ化するように構成されたプロセッサであって、前記非アクティビティタイマは、前記セカンダリセルにおいて、または前記セカンダリセルを含むセルのグループにおいてアクティビティがあったときに初期化される、プロセッサ
を備えたことを特徴とするＵＥ。
【請求項２０】
前記プロセッサは、前記セカンダリセルにおいて不連続受信（ＤＲＸ）に入り、セカンダリキャリアにおいてＤＲＸに入った後に前記非アクティビティタイマが満了したという条件で、前記セカンダリセルを自律的に非アクティブ化するように構成されることを特徴とする請求項１９に記載のＵＥ。  
【発明の詳細な説明】
【背景技術】
【０００１】
本発明は、不連続受信および／または不連続送信を実行する方法および装置に関する。
【０００２】
デバイスがインターネットなどのブロードバンドサービスに無線で接続することを可能にする、高度なデータ機能を有する新しい通信デバイスが、売り出されている。これらの新しいデバイスは、無線サービスプロバイダおよび通信事業者により高いデータレートおよび帯域幅を求める要求の高まりを生み出している。これらの要求を満たすため、デュアルキャリア高速ダウンリンクパケットアクセス（ＤＣ−ＨＳＤＰＡ）が、第３世代パートナーシッププロジェクト（３ＧＰＰ）のリリース８において導入されて、スループットを高め、キャリア間における効率的なロードバランシングを提供した。デュアルキャリア高速アップリンクパケットアクセス（ＤＣ−ＨＳＵＰＡ）も、３ＧＰＰのリリース９において導入されて、アップリンク（ＵＬ）平均のスループットとセルエッジユーザのスループットを高めた。ＤＣ−ＨＳＤＰＡとＤＣ−ＨＳＵＰＡはともに、ダウンリンク（ＤＬ）上およびＵＬ上でそれぞれ、複数のキャリアを統合することを通して、システム性能の観点から、容量利得を提供する。
【０００３】
ユニバーサル移動体通信システム（ＵＭＴＳ）において、パケットデータユーザ（すなわち、高速パケットアクセス（ＨＳＰＡ）ユーザ）の数を増加させるために、連続パケット接続（ＣＰＣ：Ｃｏｎｔｉｎｕｏｕｓ  Ｐａｃｋｅｔ  Ｃｏｎｎｅｃｔｉｖｉｔｙ）が導入されたが、ＣＰＣにおいては、ユーザは、頻繁な接続終了および再確立を回避して、長い期間にわたって接続を行ったままであり、その期間中、データ送信のアクティブ期間は、時々存在するにすぎない。トラフィック非アクティビティ（ｔｒａｆｆｉｃ  ｉｎａｃｔｉｖｉｔｙ）の期間中に個別チャネルを完全に解放すると、データ送信を再確立するために相当な遅延が引き起こされる。しかし、制御チャネルを維持したままだと、ＵＬ上で発生するノイズのせいで、効率的にサポートできるユーザの数が著しく制限される。ＣＰＣは、接続を維持し、一時的に非アクティブなユーザがはるかに速やかに再アクティブ化できるようにしながら、制御チャネルがＵＬノイズ発生に及ぼす影響を低減することを目的としている。
【０００４】
ＣＰＣの主要な特徴として、リリース７では、ユーザに「常時接続」エクスペリエンスを提供しながら、ＵＬ容量を節約し、非アクティビティ期間中のユーザ機器（ＵＥ）のバッテリ寿命を引き延ばすために、Ｃｅｌｌ＿ＤＣＨ状態における不連続受信／不連続送信（ＤＲＸ／ＤＴＸ）が導入された。リリース８およびリリース９では、簡潔性をもたらすために、単一のＤＲＸ状態マシーンが、ＤＬキャリア間において維持され、より優れたＵＥ  ＤＴＸ利得をもたらすために、２つの独立したＤＴＸ状態マシーンが、ＵＬにおいて維持される。
【発明の概要】
【０００５】
データ利用が急増しており、ＨＳＰＡが、３つ以上のキャリア上で展開されることが期待される。マルチキャリア動作は、ＵＥおよびネットワークが、２つ以上のキャリア上で受信および送信を行うことを可能にし、したがって、システムの容量を増加させる。３ＧＰＰのリリース１０は、１つまたは２つの周波数帯域上に分散する最大で４つのＨＳＤＰＡキャリアをサポートし、また最大で２つの隣接するＨＳＵＰＡキャリアをサポートする。最近、利用可能なスペクトルをさらに利用して、セルとユーザの両方のスループットに関して大きな利得を達成するために、８キャリアＨＳＤＰＡ（８Ｃ−ＨＳＤＰＡ）が、３ＧＰＰのリリース１１のために提案された。
【０００６】
マルチキャリア／マルチセルＤＲＸ／ＤＴＸ動作、セカンダリキャリア／セルの自律的な非アクティブ化（ｄｅａｃｔｉｖａｔｉｏｎ）、ならびにＤＲＸ／ＤＴＸおよびセカンダリキャリア／セルの明示的なアクティブ化（ａｃｔｉｖａｔｉｏｎ）／非アクティブ化についての実施形態が開示される。
【０００７】
一実施形態によれば、ＵＥは、複数のセルにおけるＤＲＸおよび／またはＤＴＸを制御する少なくとも１つの状態変数を設定し、セルグループ毎に、セルのサブセットに関連付けられた状態変数に基づいて、セルのサブセットにおけるＤＲＸおよび／またはＤＴＸ動作を実行することができる。ＵＥは、ネットワークからの命令（order:指令）に基づいて、すべてのセル、セルのグループ、または個別のセルについて、ＤＲＸおよび／またはＤＴＸをアクティブ化または非アクティブ化することができる。ＵＥは、非アクティビティタイマに基づいて、セカンダリセルを、またはグループ内のすべてのセカンダリセルを自律的に非アクティブ化することができる。
【０００８】
別の実施形態によれば、ＵＥは、セカンダリセルをアクティブ化および／または非アクティブ化するための高速共用制御チャネル（ＨＳ−ＳＣＣＨ）命令を受信することができ、ＨＳ−ＳＣＣＨ命令に従って、セカンダリセルをアクティブ化および／または非アクティブ化することができ、ＨＳ−ＳＣＣＨ命令は、ＨＳ−ＳＣＣＨ命令によってアクティブ化および／または非アクティブ化されることが可能であると事前に決定されたセカンダリセルのサブセットに適用することができる。
【０００９】
あるいは、セカンダリセルの第１のサブセットは、個別にアクティブ化および／または非アクティブ化することができ、セカンダリセルの第２のサブセットは、グループとしてアクティブ化および／または非アクティブ化することができる。この場合、さらに、ＵＥは、セカンダリセルの第２のサブセットのための第２のＨＳ−ＳＣＣＨ命令を受信することができ、第２のＨＳ−ＳＣＣＨ命令に基づいて、個別に、またはセルのサブグループとして、セカンダリセルの第２のサブセットをアクティブ化および／または非アクティブ化することができる。
【００１０】
あるいは、ＵＥは、セカンダリセルをアクティブ化および／または非アクティブ化するための複数のＨＳ−ＳＣＣＨ命令を同時に受信することができ、ＨＳ−ＳＣＣＨ命令に従って、セカンダリセルを個別にアクティブ化および／または非アクティブ化することができる。各ＨＳ−ＳＣＣＨ命令は、セカンダリセルの異なるサブセットをアクティブ化および／または非アクティブ化するためのものとすることができ、ＨＳ−ＳＣＣＨ命令は、命令タイプビットと命令ビットの重複のない組み合わせを使用することができる。
【００１１】
別の実施形態によれば、ＵＥは、非アクティビティタイマを使用して、セカンダリセルにおける、またはセカンダリセルを含むセルのグループにおけるアクティビティを監視することができ、非アクティビティタイマが満了したという条件で、セカンダリセルを自律的に非アクティブ化することができる。ＵＥは、セカンダリセルにおいてＤＲＸに入った後に非アクティビティタイマが満了したという条件で、セカンダリセルを自律的に非アクティブ化することができる。
【図面の簡単な説明】
【００１２】
【図１Ａ】１つまたは複数の開示される実施形態を実施できる例示的な通信システムのシステム図である。
【図１Ｂ】図１Ａに示された通信システム内で使用できる例示的な無線送受信ユニット（ＷＴＲＵ）のシステム図である。
【図１Ｃ】図１Ａに示された通信システム内で使用できる例示的な無線アクセスネットワークおよび例示的なコアネットワークのシステム図である。
【図２】すべてのキャリアに同じＤＲＸ監視を適用する一例を示す図である。
【図３】各グループが帯域内のすべてのキャリアを含む、キャリアの２つのグループを有するＤＬ構成についての、例示的なグループ毎のＤＲＸ監視を示す図である。
【図４】例示的なキャリア毎のＤＲＸ監視を示す図である。
【図５】ＵＥベースバンド処理ユニットを制御するための一例を示す図である。
【発明を実施するための形態】
【００１３】
図１Ａは、１つまたは複数の開示される実施形態を実施できる例示的な通信システム１００の図である。通信システム１００は、音声、データ、ビデオ、メッセージング、放送などのコンテンツを複数の無線ユーザに提供する、多元接続システムとすることができる。通信システム１００は、複数の無線ユーザが、無線帯域幅を含むシステムリソースの共用を通して、そのようなコンテンツにアクセスできるようにすることができる。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、およびシングルキャリアＦＤＭＡ（ＳＣ−ＦＤＭＡ）など、１つまたは複数のチャネルアクセス方法を利用することができる。
【００１４】
図１Ａに示されるように、通信システム１００は、無線送受信ユニット（ＷＴＲＵ）１０２ａ、１０２ｂ、１０２ｃ、１０２ｄ、無線アクセスネットワーク（ＲＡＮ）１０４、コアネットワーク１０６、公衆交換電話網（ＰＳＴＮ）１０８、インターネット１１０、および他のネットワーク１１２を含むことができるが、開示される実施形態は、任意の数のＷＴＲＵ、基地局、ネットワーク、および／またはネットワーク要素を企図していることが理解されよう。ＷＴＲＵ１０２ａ、１０２ｂ、１０２ｃ、１０２ｄの各々は、無線環境において動作および／または通信するように構成された任意のタイプのデバイスとすることができる。例を挙げると、ＷＴＲＵ１０２ａ、１０２ｂ、１０２ｃ、１０２ｄは、無線信号を送信および／または受信するように構成することができ、ユーザ機器（ＵＥ）、移動局、固定もしくは移動加入者ユニット、ページャ、セルラ電話、携帯情報端末（ＰＤＡ）、スマートフォン、ラップトップ、ネットブック、パーソナルコンピュータ、無線センサ、および家電製品などを含むことができる。以下で開示される実施形態は、「ＵＥ」という用語を使用するが、「ＵＥ」は、上で列挙されたものなど、任意のタイプの無線送受信デバイスとすることができる。
【００１５】
通信システム１００は、基地局１１４ａおよび基地局１１４ｂも含むことができる。基地局１１４ａ、１１４ｂの各々は、ＷＴＲＵ１０２ａ、１０２ｂ、１０２ｃ、１０２ｄの少なくとも１つと無線でインタフェースを取って、コアネットワーク１０６、インターネット１１０、および／またはネットワーク１１２等の１つまたは複数の通信ネットワークへのアクセスを円滑化するように構成された、任意のタイプのデバイスとすることができる。例を挙げると、基地局１１４ａ、１１４ｂは、送受信機基地局（ＢＴＳ）、ノードＢ、ｅノードＢ、ホームノードＢ、ホームｅノードＢ、サイトコントローラ、アクセスポイント（ＡＰ）および無線ルータなどとすることができる。基地局１１４ａ、１１４ｂは各々、単一の要素として示されているが、基地局１１４ａ、１１４ｂは、任意の数の相互接続された基地局および／またはネットワーク要素を含むことができることが理解されよう。
【００１６】
基地局１１４ａは、ＲＡＮ１０４の部分とすることができ、ＲＡＮ１０４は、他の基地局、および／または基地局コントローラ（ＢＳＣ）、無線ネットワークコントローラ（ＲＮＣ）、中継ノードなどのネットワーク要素（図示されず）も含むことができる。基地局１１４ａおよび／または基地局１１４ｂは、セル（図示されず）と呼ばれることがある特定の地理的領域内で、無線信号を送信および／または受信するように構成することができる。セルは、さらにセルセクタに分割することができる。例えば、基地局１１４ａに関連付けられたセルは、３つのセクタに分割することができる。したがって、一実施形態では、基地局１１４ａは、送受信機を３つ、すなわち、セルのセクタ毎に１つずつ含むことができる。別の実施形態では、基地局１１４ａは、多入力多出力（ＭＩＭＯ）技術を利用することができ、したがって、セルのセクタ毎に複数の送受信機を利用することができる。
【００１７】
基地局１１４ａ、１１４ｂは、エアインタフェース１１６を介して、ＷＴＲＵ１０２ａ、１０２ｂ、１０２ｃ、１０２ｄの１つまたは複数と通信することができ、エアインタフェース１１６は、任意の適切な無線通信リンク（例えば、無線周波（ＲＦ）、マイクロ波、赤外線（ＩＲ）、紫外線（ＵＶ）、可視光など）とすることができる。エアインタフェース１１６は、任意の適切な無線アクセス技術（ＲＡＴ）を使用して確立することができる。
【００１８】
より具体的には、上で言及したように、通信システム１００は、多元接続システムとすることができ、ＣＤＭＡ、ＴＤＭＡ、ＦＤＭＡ、ＯＦＤＭＡ、およびＳＣ−ＦＤＭＡなどの１つまたは複数のチャネルアクセス方式を利用することができる。例えば、ＲＡＮ１０４内の基地局１１４ａ、およびＷＴＲＵ１０２ａ、１０２ｂ、１０２ｃは、広帯域ＣＤＭＡ（ＷＣＤＭＡ）を使用してエアインタフェース１１６を確立できる、ユニバーサル移動体通信システム（ＵＭＴＳ）地上無線アクセス（ＵＴＲＡ）などの無線技術を実施することができる。ＷＣＤＭＡは、高速パケットアクセス（ＨＳＰＡ）および／または進化型ＨＳＰＡ（ＨＳＰＡ＋）などの通信プロトコルを含むことができる。ＨＳＰＡは、高速ダウンリンクパケットアクセス（ＨＳＤＰＡ）および／または高速アップリンクパケットアクセス（ＨＳＵＰＡ）を含むことができる。
【００１９】
別の実施形態では、基地局１１４ａ、およびＷＴＲＵ１０２ａ、１０２ｂ、１０２ｃは、ロングタームエボリューション（ＬＴＥ）および／またはＬＴＥアドバンスト（ＬＴＥ−Ａ）を使用してエアインタフェース１１６を確立できる、進化型ＵＭＴＳ地上無線アクセス（Ｅ−ＵＴＲＡ）などの無線技術を実施することができる。
【００２０】
他の実施形態では、基地局１１４ａ、およびＷＴＲＵ１０２ａ、１０２ｂ、１０２ｃは、ＩＥＥＥ  ８０２．１６（すなわちマイクロ波アクセス用の世界的相互運用性（ＷｉＭＡＸ））、ＣＤＭＡ２０００、ＣＤＭＡ２０００  １Ｘ、ＣＤＭＡ２０００  ＥＶ−ＤＯ、ＩＳ−２０００、ＩＳ−９５、ＩＳ−８５６、移動体通信用グローバルシステム（ＧＳＭ）、ＧＳＭ進化型高速データレート（ＥＤＧＥ）、およびＧＳＭ  ＥＤＧＥ（ＧＥＲＡＮ）などの無線技術を実施することができる。
【００２１】
図１Ａの基地局１１４ｂは、例えば、無線ルータ、ホームノードＢ、ホームｅノードＢ、またはアクセスポイントとすることができ、職場、家庭、乗物、およびキャンパスなどの局所的エリアにおける無線接続性を円滑化するための任意の適切なＲＡＴを利用することができる。一実施形態では、基地局１１４ｂ、およびＷＴＲＵ１０２ｃ、１０２ｄは、ＩＥＥＥ  ８０２．１１などの無線技術を実施して、無線ローカルエリアネットワーク（ＷＬＡＮ）を確立することができる。別の実施形態では、基地局１１４ｂ、およびＷＴＲＵ  １０２ｃ、１０２ｄは、ＩＥＥＥ  ８０２．１５などの無線技術を実施して、無線パーソナルエリアネットワーク（ＷＰＡＮ）を確立することができる。また別の実施形態では、基地局１１４ｂ、およびＷＴＲＵ１０２ｃ、１０２ｄは、セルラベースのＲＡＴ（例えば、ＷＣＤＭＡ、ＣＤＭＡ２０００、ＧＳＭ、ＬＴＥ、ＬＴＥ−Ａなど）を利用して、ピコセルまたはフェムトセルを確立することができる。図１Ａに示されるように、基地局１１４ｂは、インターネット１１０への直接的な接続を有することがある。したがって、基地局１１４ｂは、コアネットワーク１０６を介して、インターネット１１０にアクセスする必要がないことがある。
【００２２】
ＲＡＮ１０４は、コアネットワーク１０６と通信することができ、コアネットワーク１０６は、音声、データ、アプリケーション、および／またはボイスオーバインターネットプロトコル（ＶｏＩＰ）サービスをＷＴＲＵ１０２ａ、１０２ｂ、１０２ｃ、１０２ｄの１つまたは複数に提供するように構成された、任意のタイプのネットワークとすることができる。例えば、コアネットワーク１０６は、呼制御、請求サービス、モバイルロケーションベースのサービス、プリペイド通話、インターネット接続性、ビデオ配信などを提供することができ、および／またはユーザ認証など、高レベルのセキュリティ機能を実行することができる。図１Ａには示されていないが、ＲＡＮ１０４および／またはコアネットワーク１０６は、ＲＡＮ  １０４と同じＲＡＴまたは異なるＲＡＴを利用する他のＲＡＮと直接的または間接的に通信できることが理解されよう。例えば、Ｅ−ＵＴＲＡ無線技術を利用できるＲＡＮ  １０４に接続するのに加えて、コアネットワーク１０６は、ＧＳＭ無線技術を利用する別のＲＡＮ（図示されず）と通信することもできる。
【００２３】
コアネットワーク１０６は、ＰＳＴＮ１０８、インターネット１１０、および／または他のネットワーク１１２にアクセスするための、ＷＴＲＵ１０２ａ、１０２ｂ、１０２ｃ、１０２ｄのためのゲートウェイとしての役割を果たすこともできる。ＰＳＴＮ１０８は、基本電話サービス（ＰＯＴＳ）を提供する回路交換電話網を含むことができる。インターネット１１０は、ＴＣＰ／ＩＰインターネットプロトコルスイート内の伝送制御プロトコル（ＴＣＰ）、ユーザデータグラムプロトコル（ＵＤＰ）、およびインターネットプロトコル（ＩＰ）など、共通の通信プロトコルを使用する、相互接続されたコンピュータネットワークとデバイスとからなるグローバルシステムを含むことができる。ネットワーク１１２は、他のサービスプロバイダによって所有および／または運営される有線または無線通信ネットワークを含むことができる。例えば、ネットワーク１１２は、ＲＡＮ１０４と同じＲＡＴまたは異なるＲＡＴを利用できる１つまたは複数のＲＡＮに接続された、別のコアネットワークを含むことができる。
【００２４】
通信システム１００内のＷＴＲＵ１０２ａ、１０２ｂ、１０２ｃ、１０２ｄのいくつかまたはすべては、マルチモード機能を含むことができ、すなわち、ＷＴＲＵ１０２ａ、１０２ｂ、１０２ｃ、１０２ｄは、異なる無線リンクを介して異なる無線ネットワークと通信するための複数の送受信機を含むことができる。例えば、図１Ａに示されたＷＴＲＵ１０２ｃは、セルラベースの無線技術を利用できる基地局１１４ａと通信するように、またＩＥＥＥ  ８０２無線技術を利用できる基地局１１４ｂと通信するように構成することができる。
【００２５】
図１Ｂは、例示的なＷＴＲＵ１０２のシステム図である。図１Ｂに示されるように、ＷＴＲＵ１０２は、プロセッサ１１８と、送受信機１２０と、送信／受信要素１２２と、スピーカ／マイクロフォン１２４と、キーパッド１２６と、ディスプレイ／タッチパッド１２８と、着脱不能メモリ１３０と、着脱可能メモリ１３２と、電源１３４と、全地球測位システム（ＧＰＳ）チップセット１３６と、他の周辺機器１３８とを含むことができる。ＷＴＲＵ１０２は、一実施形態との整合性を保ちながら、上記の要素の任意のサブコンビネーションを含むことができる。
【００２６】
プロセッサ１１８は、汎用プロセッサ、専用プロセッサ、従来型プロセッサ、デジタル信号プロセッサ（ＤＳＰ）、複数のマイクロプロセッサ、ＤＳＰコアと連携する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、他の任意のタイプの集積回路（ＩＣ）、および状態マシーンなどとすることができる。プロセッサ１１８は、信号符号化、データ処理、電力制御、入出力処理、および／またはＷＴＲＵ１０２が無線環境で動作できるようにする他の任意の機能を実行することができる。プロセッサ１１８は、送受信機１２０に結合することができ、送受信機１２０は、送信／受信要素１２２に結合することができる。図１Ｂは、プロセッサ１１８と送受信機１２０を別々のコンポーネントとして示しているが、プロセッサ１１８と送受信機１２０は、電子パッケージまたはチップ内に一緒に統合できることが理解されよう。
【００２７】
送信／受信要素１２２は、エアインタフェース１１６を介して、基地局（例えば基地局１１４ａ）に信号を送信し、または基地局から信号を受信するように構成することができる。例えば、一実施形態では、送信／受信要素１２２は、ＲＦ信号を送信および／または受信するように構成されたアンテナとすることができる。別の実施形態では、送信／受信要素１２２は、例えば、ＩＲ、ＵＶ、または可視光信号を送信および／または受信するように構成された放射器／検出器とすることができる。また別の実施形態では、送信／受信要素１２２は、ＲＦ信号と光信号の両方を送信および受信するように構成することができる。送信／受信要素１２２は、無線信号の任意の組み合わせを送信および／または受信するように構成できることが理解されよう。
【００２８】
加えて、図１Ｂでは、送信／受信要素１２２は単一の要素として示されているが、ＷＴＲＵ１０２は、任意の数の送信／受信要素１２２を含むことができる。より具体的には、ＷＴＲＵ１０２は、ＭＩＭＯ技術を利用することができる。したがって、一実施形態では、ＷＴＲＵ１０２は、エアインタフェース１１６を介して無線信号を送信および受信するための２つ以上の送信／受信要素１２２（例えば複数のアンテナ）を含むことができる。
【００２９】
送受信機１２０は、送信／受信要素１２２によって送信される信号を変調し、送信／受信要素１２２によって受信された信号を復調するように構成することができる。上で言及したように、ＷＴＲＵ１０２は、マルチモード機能を有することができる。したがって、送受信機１２０は、ＷＴＲＵ１０２が、例えばＵＴＲＡおよびＩＥＥＥ  ８０２．１１などの複数のＲＡＴを介して通信できるようにするための、複数の送受信機を含むことができる。
【００３０】
ＷＴＲＵ１０２のプロセッサ１１８は、スピーカ／マイクロフォン１２４、キーパッド１２６、および／またはディスプレイ／タッチパッド１２８（例えば、液晶表示（ＬＣＤ）ディスプレイユニットもしくは有機発光ダイオード（ＯＬＥＤ）ディスプレイユニット）に結合することができ、それらからユーザ入力データを受け取ることができる。プロセッサ１１８は、スピーカ／マイクロフォン１２４、キーパッド１２６、および／またはディスプレイ／タッチパッド１２８にユーザデータを出力することもできる。加えて、プロセッサ１１８は、着脱不能メモリ１３０および／または着脱可能メモリ１３２など、任意のタイプの適切なメモリから情報を入手することができ、それらにデータを記憶することができる。着脱不能メモリ１０６は、ランダムアクセスメモリ（ＲＡＭ）、リードオンリメモリ（ＲＯＭ）、ハードディスク、または他の任意のタイプのメモリ記憶デバイスを含むことができる。着脱可能メモリ１３２は、加入者識別モジュール（ＳＩＭ）カード、メモリスティック、およびセキュアデジタル（ＳＤ）メモリカードなどを含むことができる。他の実施形態では、プロセッサ１１８は、ＷＴＲＵ１０２上に物理的に配置されたメモリではなく、サーバまたはホームコンピュータ（図示されず）などの上に配置されたメモリから情報を入手することができ、それにデータを記憶することができる。
【００３１】
プロセッサ１１８は、電源１３４から電力を受け取ることができ、ＷＴＲＵ１０２内の他のコンポーネントへの電力の分配および／または制御を行うように構成することができる。電源１３４は、ＷＴＲＵ１０２に給電するための任意の適切なデバイスとすることができる。例えば、電源１３４は、１つまたは複数の乾電池（例えば、ニッケル−カドミウム（ＮｉＣｄ）、ニッケル−亜鉛（ＮｉＺｎ）、ニッケル水素（ＮｉＭＨ）、リチウムイオン（Ｌｉ−ｉｏｎ）など）、太陽電池、および燃料電池などを含むことができる。
【００３２】
プロセッサ１１８は、ＧＰＳチップセット１３６に結合することもでき、ＧＰＳチップセット１３６は、ＷＴＲＵ１０２の現在位置に関する位置情報（例えば経度および緯度）を提供するように構成することができる。ＧＰＳチップセット１３６からの情報に加えて、またはその代わりに、ＷＴＲＵ１０２は、基地局（例えば基地局１１４ａ、１１４ｂ）からエアインタフェース１１６を介して位置情報を受け取ることができ、および／または２つ以上の近くの基地局から受信した信号のタイミングに基づいて、自らの位置を決定することができる。ＷＴＲＵ１０２は、一実施形態との整合性を保ちながら、任意の適切な位置決定方法を用いて、位置情報を獲得できることが理解されよう。
【００３３】
プロセッサ１１８は、他の周辺機器１３８にさらに結合することができ、他の周辺機器１３８は、追加的な特徴、機能、および／または有線もしくは無線接続性を提供する、１つまたは複数のソフトウェアモジュールおよび／またはハードウェアモジュールを含むことができる。例えば、周辺機器１３８は、加速度計、ｅコンパス、衛星送受信機、（写真またはビデオ用の）デジタルカメラ、ユニバーサルシリアルバス（ＵＳＢ）ポート、バイブレーションデバイス、テレビ送受信機、ハンズフリーヘッドセット、Ｂｌｕｅｔｏｏｔｈ（登録商標）モジュール、周波数変調（ＦＭ）ラジオユニット、デジタル音楽プレーヤ、メディアプレーヤ、ビデオゲームプレーヤモジュール、およびインターネットブラウザなどを含むことができる。
【００３４】
図１Ｃは、一実施形態による、ＲＡＮ１０４およびコアネットワーク１０６のシステム図である。上で言及したように、ＲＡＮ１０４は、ＵＴＲＡ無線技術を利用して、エアインタフェース１１６を介してＷＴＲＵ１０２ａ、１０２ｂ、１０２ｃと通信することができる。ＲＡＮ１０４は、コアネットワーク１０６とも通信することができる。図１Ｃに示されるように、ＲＡＮ１０４は、ノードＢ１４０ａ、１４０ｂ、１４０ｃを含むことができ、ノードＢ１４０ａ、１４０ｂ、１４０ｃは、各々が、エアインタフェース１１６を介してＷＴＲＵ１０２ａ、１０２ｂ、１０２ｃと通信するための１つまたは複数の送受信機を含むことができる。ノードＢ１４０ａ、１４０ｂ、１４０ｃは、各々を、ＲＡＮ１０４内の特定のセル（図示されず）に関連付けることができる。ＲＡＮ１０４は、ＲＮＣ１４２ａ、１４２ｂも含むことができる。ＲＡＮ１０４は、一実施形態との整合性を保ちながら、任意の数のノードＢおよびＲＮＣを含むことができることが理解されよう。
【００３５】
図１Ｃに示されるように、ノードＢ１４０ａ、１４０ｂは、ＲＮＣ１４２ａと通信することができる。加えて、ノードＢ１４０ｃは、ＲＮＣ１４２ｂと通信することができる。ノードＢ１４０ａ、１４０ｂ、１４０ｃは、Ｉｕｂインタフェースを介して、それぞれのＲＮＣ１４２ａ、１４２ｂと通信することができる。ＲＮＣ１４２ａ、１４２ｂは、Ｉｕｒインタフェースを介して、互いに通信することができる。ＲＮＣ１４２ａ、１４２ｂの各々は、それが接続されたそれぞれのノードＢ１４０ａ、１４０ｂ、１４０ｃを制御するように構成することができる。加えて、ＲＮＣ１４２ａ、１４２ｂの各々は、アウタループ電力制御、負荷制御、受付制御、パケットスケジューリング、ハンドオーバ制御、マクロダイバーシティ、セキュリティ機能、およびデータ暗号化など、他の機能を実施またはサポートするように構成することができる。
【００３６】
図１Ｃに示されるコアネットワーク１０６は、メディアゲートウェイ（ＭＧＷ）１４４、モバイル交換センタ（ＭＳＣ）１４６、サービングＧＰＲＳサポートノード（ＳＧＳＮ）１４８、および／またはゲートウェイＧＰＲＳサポートノード（ＧＧＳＮ）１５０を含むことができる。上記の要素の各々は、コアネットワーク１０６の部分として示されているが、これらの要素は、どの１つをとっても、コアネットワーク運営体とは異なる主体によって所有および／または運営できることが理解されよう。
【００３７】
ＲＡＮ  １０４内のＲＮＣ１４２ａは、ＩｕＣＳインタフェースを介して、コアネットワーク１０６内のＭＳＣ１４６に接続することができる。ＭＳＣ１４６は、ＭＧＷ１４４に接続することができる。ＭＳＣ１４６とＭＧＷ１４４は、ＰＳＴＮ１０８などの回路交換ネットワークへのアクセスをＷＴＲＵ１０２ａ、１０２ｂ、１０２ｃに提供して、ＷＴＲＵ１０２ａ、１０２ｂ、１０２ｃと従来の陸線通信デバイスの間の通信を円滑化することができる。
【００３８】
ＲＡＮ１０４内のＲＮＣ１４２ａは、ＩｕＰＳインタフェースを介して、コアネットワーク１０６内のＳＧＳＮ１４８にも接続することができる。ＳＧＳＮ１４８は、ＧＧＳＮ  １５０に接続することができる。ＳＧＳＮ１４８とＧＧＳＮ１５０は、インターネット１１０などのパケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスの間の通信を円滑化することができる。
【００３９】
上で言及したように、コアネットワーク１０６は、ネットワーク１１２にも接続することができ、ネットワーク１１２は、他のサービスプロバイダによって所有および／または運営される他の有線または無線ネットワークを含むことができる。
【００４０】
マルチキャリア／マルチセルＤＲＸ／ＤＴＸ動作、セカンダリキャリア／セルの自律的な非アクティブ化、ならびにＤＲＸ／ＤＴＸおよびセカンダリキャリア／セルの明示的なアクティブ化／非アクティブ化についての実施形態が開示される。実施形態は、ＭＣ−ＨＳＰＡシステムとの関連で説明されるが、ロングタームエボリューション（ＬＴＥ）、ｃｄｍａ２０００、ＩＥＥＥ  ８０２．ｘｘ、ならびにマルチキャリア／マルチセルおよびＤＲＸ／ＤＴＸ動作を用いる他の任意の無線通信システムなど、任意の無線システムにも適用可能であることに留意されたい。マルチキャリアは、同じノードＢまたは異なるノードＢの同じまたは異なるセクタまたはセルにおいて動作することができ、マルチキャリアは、ノードＢの重なり合うまたは重なり合わないセルまたはセクタにおいて動作する単一または複数の無線周波数を介して搬送できるマルチセルを指すことができることに留意されたい。
【００４１】
これ以降、「マルチキャリア」と「マルチセル」という用語、および「セカンダリキャリア」と「セカンダリセル」という用語は、それぞれ、交換可能に使用されることがある。以下で開示される実施形態は、マルチキャリア動作またはマルチセル動作に適用することができ、いくつかの実施形態は、マルチキャリア動作に関連して開示されたとしても、マルチセル動作に適用可能であり、その逆も成り立つことに留意されたい。マルチセル動作は、同じ周波数（すなわちキャリア）または異なる周波数において実施することができる。
【００４２】
「プライマリ帯域」は、プライマリキャリアまたはセルを含み、ゼロ、１つ、または２つ以上のセカンダリキャリアおよび／またはセカンダリセルを含むことができる、帯域である。「セカンダリ帯域」は、プライマリキャリアを含むことはできないが、１つまたは複数のセカンダリキャリアおよびセルを含む、帯域である。ＭＣ−ＨＳＤＰＡは、Ｍ個のＤＬキャリアまたはセルを用いて構成することができる。ＭＣ−ＨＳＵＰＡは、Ｍ個以上のＤＬキャリアまたはセルを用いて構成することができる。
【００４３】
サービング高速ダウンリンク共用チャネル（ＨＳ−ＤＳＣＨ）セルに関連付けられたサービング拡張個別チャネル（Ｅ−ＤＣＨ）セルに対応するＥ−ＤＣＨが送信されるキャリアまたはＵＬサービングセルとして、２つ以上のＵＬキャリアまたはセルがＵＥのために構成される場合、「プライマリＵＬキャリア」または「プライマリＵＬセル」を定義することができる。「セカンダリＵＬキャリア」または「セカンダリＵＬセル」は、セカンダリサービングＨＳ−ＤＳＣＨセルに関連付けられたサービングＥ−ＤＣＨセルに対応するＥ−ＤＣＨが送信されるキャリア、ＵＬサービングセルのことを指すことができる。あるいは、プライマリＵＬセルは、ＵＬフィードバックが送信されるセルのことを指すことができ、プライマリＵＬセルとして割り当てられていないセルはいずれも、セカンダリＵＬセルとして定義することができる。
【００４４】
「プライマリＤＬセル」は、特定のＵＬセルまたは周波数と関連付けられたＤＬサービングセルのことを指すことができる。マルチセルアップリンクの場合、このＵＬセルは、プライマリＵＬセル（すなわち周波数）である。「プライマリＤＬセル」は、非アクティブ化することができないサービングＤＬセルのことを指すことができる。ＨＳＰＡについての一例では、プライマリＤＬセルを使用して、特定のＤＬチャネルを、例えば、フラクショナル個別物理チャネル（Ｆ−ＤＰＣＨ）、拡張絶対グラントチャネル（Ｅ−ＡＧＣＨ）、物理ダウンリンク制御チャネル（ＰＤＣＣＨ）、または他のチャネルのうちの少なくとも１つを搬送することができる。共通パイロットチャネル（ＣＰＩＣＨ）、高速共用制御チャネル（ＨＳ−ＳＣＣＨ）、および高速物理ダウンリンク共用チャネル（ＨＳ−ＰＤＳＣＨ）などの、他の物理チャネルは、セカンダリＤＬセルなど、任意のＤＬセルから読み取ることができる。２つ以上のＤＬキャリアが、１つまたは複数のＵＬキャリアに関連付けられたＤＬ制御チャネルを搬送する場合、「プライマリＤＬキャリア／セル」は、「プライマリ」キャリア／セル属性を用いて構成されたＤＬキャリア／セルのことを指すことができる。単一のＤＬキャリアが、ＵＥのために構成される場合は、それをプライマリＤＬキャリアとすることができる。
【００４５】
「セカンダリＤＬセル」は、１組のセルのうちの１つのことを指すことができ、ＵＥは、それが、サービングＨＳ−ＤＳＣＨセルに加えて、そのセルにおいてもスケジュールされている場合は、同時にＨＳ−ＳＣＣＨセットを監視し、ＨＳ−ＤＳＣＨを受信するように構成される。ＤＬセルの数が、ＵＬセルの数よりも多い場合、セカンダリサービングＨＳ−ＤＳＣＨセルのインデックスを、より高位のレイヤによって知らせることができる。ＵＥが、２つのＵＬセルを用いるように構成される場合、第１のセカンダリサービングＤＬセルは、セカンダリＵＬ周波数に関連付けられたセカンダリサービングＤＬセルとすることができ、セカンダリサービングＤＬセルの残りは、より高位のレイヤによって知らせることができる。
【００４６】
特定のＵＥについて、ＵＬキャリアは、その周波数上でＵＥが送信することを許可されている場合に、アクティブ化されていると言われる。プライマリＵＬ周波数は、構成されたときにアクティブ化されるが、セカンダリＵＬ周波数は、ＨＳ−ＳＣＣＨ命令を用いてアクティブ化することができる。特定のＵＥについて、ＵＬキャリアは、構成されてはいるが、ノードＢによって、または本明細書で開示されるいずれかの実施形態に従って、そのキャリア上で送信することを許可されていない場合に、非アクティブ化されていると言われる。特定のＵＥについて、ＵＬキャリアは、そのキャリア上で送信を実行するために、ＵＥがより高位のレイヤからすべての関連情報を受信している場合に、構成されていると言われる。「キャリア」と「周波数」という用語は、交換可能に使用される。加えて、これ以降で言及される場合、プライマリまたはセカンダリＵＬキャリアは、プライマリまたはセカンダリＵＬセルに対応することができ、これらの用語は、交換可能に使用することができる。より具体的には、セカンダリキャリアのアクティブ化／非アクティブ化は、セカンダリセルのアクティブ化／非アクティブ化に対応することができる。
【００４７】
ＤＲＸ／ＤＴＸ動作についての実施形態が説明される。
【００４８】
ＭＣ−ＨＳＰＡシステムでは、１つまたは複数の周波数帯域内に、複数のキャリアまたは複数のセルを構成することができる。一実施形態によれば、すべてのＤＬキャリアまたはＤＬセルは、同じＤＲＸ制御に従うことができる。例えば、すべてのＤＬキャリア／セルのために、単一のＤＬ＿ＤＲＸ＿Ａｃｔｉｖｅ状態変数を維持することができ、すべてのＤＬキャリアまたはセルにおけるＤＲＸ動作は、単一のＤＬ＿ＤＲＸ＿Ａｃｔｉｖｅ状態変数によって制御することができる（すなわち、ＵＥは、所定の基準に従って、同時にすべてのＤＬキャリアまたはセルにおいて接続状態またはアイドル状態とすることができる）。
【００４９】
別の実施形態によれば、ＤＲＸ制御は、キャリアまたはセル毎に適用することができる。
【００５０】
別の実施形態によれば、ＤＬセルは、複数のグループにグループ化され、ＤＲＸ制御は、セルグループ毎に適用することができる。セルグループは、例えば、ＲＲＣメッセージによって、明示的または暗黙的に伝えることができる。セルは、以下で開示される実施形態のいずれか１つに従って、グループ化することができる。以下のグループ化は、ＤＴＸについての実施形態およびセルのアクティブ化／非アクティブ化についての実施形態などの、しかしそれらに限定されない、他の実施形態にも適用可能とし得ることが理解されよう。
【００５１】
セルグループは、２つ以上の隣接キャリアにおけるセルを含むことができる。
【００５２】
あるいは、セルグループは、与えられた周波数帯域におけるすべてのセカンダリＤＬセルまたはすべてのＤＬセルを含むことができる。周波数帯域は、（例えばＲＲＣシグナリングを通して）明示的に構成することができる。あるいは、ＵＥは、ネットワークによって提供されるＵＴＲＡ絶対無線周波数チャネル番号（ＵＡＲＦＣＮ：ＵＴＲＡ  ａｂｓｏｌｕｔｅ  ｒａｄｉｏ  ｆｒｅｑｕｅｎｃｙ  ｃｈａｎｎｅｌ  ｎｕｍｂｅｒ）値に基づいて、周波数帯域を暗黙的に決定することができる。
【００５３】
あるいは、セルグループは、与えられた周波数におけるすべてのセカンダリＤＬセルまたはすべてのＤＬセルを含むことができる。これは、複数のセルが同じ周波数または多数の周波数において構成される場合とすることができる。
【００５４】
あるいは、セルグループは、すべてのセカンダリＤＬセルを含むことができる。あるいは、セルグループは、（同じ周波数帯域においてかどうかに係わらず）与えられたプライマリＤＬセルに関連付けられたすべてのセカンダリＤＬセルを含むことができる。セカンダリセルとプライマリセルとの関連付けは、より高位のレイヤによって実行される明示的な関連付けとすることができる。あるいは、セルグループは、与えられたプライマリＵＬセルまたは与えられたＵＬセルに関連付けられたすべてのセカンダリＤＬセルを含むことができる。この関連付けは、同じＵＬセルまたはチャネルからフィードバックを受信するように構成されたセルのグループに関連することができる。例えば、複数のダウンリンクのためにいくつかのＵＬフィードバックチャネルまたはリソースが配備される一実施形態では、ネットワークは、１組のＤＬセルに対して１つの特定のＵＬ上でフィードバックを提供するようにＵＥを構成することができる。ＤＬセルのこの組は、セルグループに属することができる。あるいは、セルグループは、ＤＬセルの事前定義されたリスト（例えばグループの明示的な定義）内に含まれるすべてのセルを含むことができる。あるいは、セルグループは、特定の周波数帯域におけるすべてのＤＬセルを含むことができる。あるいは、セルグループは、ＤＬ隣接キャリアにおけるすべてのセルを含むことができる。あるいは、セルグループは、特定の周波数または周波数の特定のグループにおけるすべてのセルを含むことができる。あるいは、セルグループは、与えられたプライマリＵＬキャリアまたは与えられたＵＬキャリアに関連付けられた隣接キャリアにおけるすべてのＤＬセルを含むことができる。上述のグループ化は、ＤＬセルに関連して説明されたが、ＵＬセルにも等しく適用可能である。
【００５５】
セルは、構成されたセルのアクティブ化ステータスに基づいてグループ化することができる。例えば、４セルシステム（例えば４Ｃ−ＨＳＤＰＡ）では、４つのセルがアクティブ化された場合、最初の２つのアクティブ化セルを一緒にグループ化し、他の２つのアクティブ化セルを一緒にグループ化することができる。３つのセルがアクティブ化された場合、第１および第２のセルを一緒にグループ化し、第３のセルを他のグループに属させることができる。２つのセルがアクティブ化された場合、それらを一緒にグループ化することができる。
【００５６】
グループ化は、セルのその後のアクティブ化ステータスの変化に係わりなく、同じに保つことができる。あるいは、グループ化は、セルのアクティブ化ステータスに基づいて変化させることができる。すべてのアクティブ化されたキャリアは、上述の実施形態のいずれかまたは組み合わせによって再グループ化することができる。すべてのアクティブ化されたセルは、非アクティブ化されたセルを含まない、アクティブ化または非アクティブ化の前と同じグループ化を保つことができる。すべての非アクティブ化されたセルは、一緒にグループ化することができる（例えば、すべての非アクティブ化されたセルは、１つのグループに属することができる）。すべての非アクティブ化されたセルは、上述の実施形態のいずれかまたは組み合わせによって再グループ化することができる。すべての非アクティブ化されたセルは、アクティブ化されたセルを含まない、アクティブ化／非アクティブ化の前と同じグループ化を保つことができる。
【００５７】
あるいは、セルグループは、ＭＣ−ＨＳＤＰＡ動作の場合、セカンダリセル（サービングＨＳ−ＤＳＣＨセル）のサブセットを含むことができ、サブセットは、事前定義されたルールに基づいて事前定義もしくは決定され、構成され、または伝えられる。例えば、８つのＤＬセルを用いる８Ｃ−ＨＳＤＰＡ動作では、第５から第８のＤＬセルを一緒にグループ化することができ、一方、第１から第４のＤＬセルは、一緒にグループ化してもよく、またはしなくてもよい。セカンダリサービングセルは、構成情報要素（ＩＥ）がＲＲＣメッセージ内に出現する順序で番号を付けることができ、またはＲＲＣによって明示的に番号を付けることができる。セカンダリサービングセルの番号付けは、より高位のレイヤ（例えばＲＲＣ）からより低位のレイヤに伝えることができ、または事前定義することができる。
【００５８】
あるいは、セルグループは、Ｎ個のＤＬセルまたは代替的にＮ個のキャリア（それらのキャリアにおけるすべてのセルは同じグループに属する）のいくつかの組を含むことができ、Ｎは、Ｍよりも小さい任意の事前定義された値または伝えられた値とすることができる。各グループ内のセルは、それらがＲＲＣ構成メッセージ内に出現する順番で選択することができる。Ｎは、Ｍの因数とすることができる。セカンダリサービングセルは、構成ＩＥがＲＲＣメッセージ内に出現する順番または事前定義された順番で、番号を付けることができる。例えば、８Ｃ−ＨＳＤＰＡ動作の場合、Ｍ＝８およびＮ＝４は、２つのグループをもたらす。一方のグループは、ＨＳ−ＤＳＣＨサービングセルと、最初の３つのセカンダリサービングＨＳ−ＤＳＣＨセルとを含むことができ、他方のグループは、残りのセカンダリサービングＨＳ−ＤＳＣＨセルを含むことができる。
【００５９】
ＵＬセルも、上で開示されたいずれかの実施形態に従って、グループ化することができ、ＤＬおよび／またはＵＬキャリア（またはセル）のアクティブ化および非アクティブ化は、グループ毎に実行することができる。
【００６０】
セルのＫ個のグループ（Ｇ１，Ｇ２，．．．，ＧＫ）が存在し、ＭＣ−ＨＳＰＡのためのＤＲＸ（および／またはＤＴＸ）制御が、セルのグループ毎に適用されると仮定する。一実施形態によれば、ＤＬ＿ＤＲＸ＿Ａｃｔｉｖｅ状態変数は、セルのグループ毎に個別に維持および評価され、ＵＥは、グループ毎に対応するＤＬ＿ＤＲＸ＿Ａｃｔｉｖｅ状態変数に従って、セルの各グループのＤＲＸ動作を個別に制御することができる。ＤＲＸ動作の制御は、以下のように実行することができる。
【００６１】
Ｋ個のグループのために、Ｋ個のＤＬ＿ＤＲＸ＿Ａｃｔｉｖｅ状態変数を独立に維持および評価することができる。セルの第ｋのグループのＤＬ＿ＤＲＸ＿Ａｃｔｉｖｅ（ＤＬ＿ＤＲＸ＿Ａｃｔｉｖｅ（ｋ）と呼ばれる）は、ＵＥ＿ＤＴＸ＿ＤＲＸ＿Ｅｎａｂｌｅｄ（ｋ）がＴＲＵＥ、かつＵＬ＿ＤＴＸ＿Ａｃｔｉｖｅ（ｋ）がＴＲＵＥで、セルの第ｋのグループの不連続ＤＬ受信がアクティブ化されている間、ＴＲＵＥに設定される。それ以外の場合、ＤＬ＿ＤＲＸ＿Ａｃｔｉｖｅ（ｋ）は、ＦＡＬＳＥに設定される。ＵＥ＿ＤＴＸ＿ＤＲＸ＿Ｅｎａｂｌｅｄ（ｋ）は、より高位のレイヤがＤＴＸ＿ＤＲＸ＿ＳＴＡＴＵＳ（ｋ）をＴＲＵＥに設定し、Ｅｎａｂｌｉｎｇ＿Ｄｅｌａｙ（ｋ）無線フレームが渡された後、ＴＲＵＥに設定される。それ以外の場合、ＵＥ＿ＤＴＸ＿ＤＲＸ＿Ｅｎａｂｌｅｄ（ｋ）は、ＦＡＬＳＥに設定される。セルの第ｋのグループの不連続ＤＬ受信は、ＵＥ＿ＤＴＸ＿ＤＲＸ＿Ｅｎａｂｌｅｄ（ｋ）がＴＲＵＥに設定されたときに、アクティブ化することができ、さらに、セルの第ｋのグループを対象にしたレイヤ１の高速共用制御チャネル（ＨＳ−ＳＣＣＨ）命令によって、非アクティブ化またはアクティブ化することができる。ここで、ｋは、グループのインデックスであって、ｋ＝１，２，．．．，Ｋであり、Ｋは、グループの総数である。
【００６２】
グループ毎に評価されたＤＬ＿ＤＲＸ＿Ａｃｔｉｖｅ状態変数に基づいて、ＵＥは、セルのグループ毎に独立に以下のアクションを取ることができる。グループｋについて、ＤＬ＿ＤＲＸ＿Ａｃｔｉｖｅ（ｋ）がＦＡＬＳＥであるという条件で、ＵＥは、セルの第ｋのグループ上で、すべてのＤＬ物理チャネルを連続的に監視し、受信することができる。ＤＬ＿ＤＲＸ＿Ａｃｔｉｖｅ（ｋ）がＴＲＵＥである場合、ＵＥは、Ｆ−ＤＰＣＨを受信し続けることができ、以下の７つの例外を除いて、セルの第ｋのグループにおいてＦ−ＤＰＣＨ以外の物理ＤＬチャネルを受信することはできない。
【００６３】
（１）第ｋのグループ内のＤＬセルのいずれかと関連付けられたＵＬセルの数に応じて、ＵＥは、第ｋのグループ内のＤＬキャリアの１つと関連付けられたＵＬセルにおけるＵＥ自体のＥ−ＤＣＨ送信に対応する、Ｅ−ＤＣＨ  ＨＡＲＱインジケータチャネル（Ｅ−ＨＩＣＨ）サブフレームをそれぞれ受信することができる。
【００６４】
（２）ＵＥは、第ｋのグループのＨＳ−ＳＣＣＨ受信パターンに関して、ＨＳ−ＳＣＣＨサブフレームを監視することができる。セルのグループが異なる場合、ＨＳ−ＳＣＣＨ受信パターンは、ＤＲＸパラメータ構成に応じて、同じであってもよく、または同じでなくてもよい。例えば、ＵＥ＿ＤＴＸ＿ＤＲＸ＿Ｏｆｆｓｅｔ（ｋ）および／またはＵＥ＿ＤＲＸ＿ｃｙｃｌｅ（ｋ）は、セルグループ毎に独立に構成することができ、それによって、セルのグループが異なる場合、異なるＨＳ−ＳＣＣＨ受信パターンがもたらされることがある。ＤＲＸパラメータＵＥ＿ＤＴＸ＿ＤＲＸ＿Ｏｆｆｓｅｔ（ｋ）およびＵＥ＿ＤＲＸ＿ｃｙｃｌｅ（ｋ）は、すべてのＤＬキャリアについて共通とすることができる。
【００６５】
（３）ＵＥは、第ｋのグループのＤＬセルにおける、ＨＳ−ＳＣＣＨに続いて、またはＨＳ−ＳＣＣＨ不使用の受信（ＨＳ−ＳＣＣＨ−ｌｅｓｓ  ｒｅｃｅｐｔｉｏｎ）の場合は必要に応じて、高速物理ＤＬ共用チャネル（ＨＳ−ＰＤＳＣＨ）サブフレームを受信することができる。
【００６６】
（４）ＵＥは、最後のＩｎａｃｔｉｖｉｔｙ＿Ｔｈｒｅｓｈｏｌｄ＿ｆｏｒ＿ＵＥ＿ＤＲＸ＿ｃｙｃｌｅ（ｋ）サブフレームの最中に、ＨＳ−ＳＣＣＨ命令ではない、ＨＳ−ＳＣＣＨまたはＨＳ−ＰＤＳＣＨサブフレームを受信する。第ｋのグループのためのＩｎａｃｔｉｖｉｔｙ＿Ｔｈｒｅｓｈｏｌｄ＿ｆｏｒ＿ＵＥ＿ＤＲＸ＿ｃｙｃｌｅ（ｋ）は、グループ毎に独立に構成することができる。Ｉｎａｃｔｉｖｉｔｙ＿Ｔｈｒｅｓｈｏｌｄ＿ｆｏｒ＿ＵＥ＿ＤＲＸ＿ｃｙｃｌｅ（ｋ）は、すべてのＤＬセルについて共通とすることができる。
【００６７】
（５）ＵＥは、事前設定された条件が満たされたとき、またはＵＥ＿ＤＲＸ＿Ｇｒａｎｔ＿Ｍｏｎｉｔｏｒｉｎｇ（ｋ）がＴＲＵＥであり、第ｋのグループのＨＳ−ＳＣＣＨ受信パターンに基づいて、Ｅ−ＤＣＨ絶対グラントチャネル（Ｅ−ＡＧＣＨ）がＨＳ−ＳＣＣＨ受信サブフレームの開始と重なり合う場合、サービングＥ−ＤＣＨセルからＥ−ＡＧＣＨ送信を受信することができる。ＵＥ＿ＤＲＸ＿Ｇｒａｎｔ＿Ｍｏｎｉｔｏｒｉｎｇ（ｋ）は、キャリアグループ毎に独立に構成することができる。ＵＥ＿ＤＲＸ＿Ｇｒａｎｔ＿Ｍｏｎｉｔｏｒｉｎｇ（ｋ）は、すべてのＤＬセルについて共通とすることができる。
【００６８】
（６）ＵＥは、事前設定された条件が満たされたとき、またはＵＥ＿ＤＲＸ＿Ｇｒａｎｔ＿Ｍｏｎｉｔｏｒｉｎｇ（ｋ）がＴＲＵＥであり、第ｋのグループのＨＳ−ＳＣＣＨ受信パターンに基づいて、対応するサービングセルＥ−ＤＣＨ相対グラントチャネル（Ｅ−ＲＧＣＨ）がＨＳ−ＳＣＣＨ受信サブフレームの開始と重なり合う場合、サービングＥ−ＤＣＨ無線リンクセット内のセルからＥ−ＲＧＣＨ送信を受信することができる。
【００６９】
（７）ＵＥは、事前設定された条件が第ｋのグループにおいて満たされるとき、サービングＥ−ＤＣＨ無線リンクセット内のセルを除いて、Ｅ−ＤＣＨアクティブセット内の他のすべてのセルからＥ−ＲＧＣＨを受信することができる。
【００７０】
上述の例外（１）、（５）、（６）、および（７）は、第ｋのグループ内のＤＬキャリアのいずれかと関連付けられたＵＬキャリアが存在しない場合、第ｋのグループには適用することができない。
【００７１】
別の実施形態によれば、すべてのＤＬキャリアのために、単一のＤＬ＿ＤＲＸ＿Ａｃｔｉｖｅ状態変数が維持され、（すなわち、ＤＲＸステータスは、すべてのＤＬキャリアについて共通であり）、ＤＲＸ動作は、以下のようにキャリアグループ毎に制御される。
【００７２】
すべてのＤＬキャリアのために、単一のＤＬ＿ＤＲＸ＿Ａｃｔｉｖｅ状態変数を維持および評価することができる。ＤＬ＿ＤＲＸ＿Ａｃｔｉｖｅは、ＵＥ＿ＤＴＸ＿ＤＲＸ＿ＥｎａｂｌｅｄがＴＲＵＥ、かつＵＬ＿ＤＴＸ＿ＡｃｔｉｖｅがＴＲＵＥで、不連続ＤＬ受信がアクティブ化されている間、ＴＲＵＥに設定される。それ以外の場合、ＤＬ＿ＤＲＸ＿Ａｃｔｉｖｅは、ＦＡＬＳＥに設定される。ＵＥ＿ＤＴＸ＿ＤＲＸ＿Ｅｎａｂｌｅｄは、より高位のレイヤがＤＴＸ＿ＤＲＸ＿ＳＴＡＴＵＳをＴＲＵＥに設定し、Ｅｎａｂｌｉｎｇ＿Ｄｅｌａｙ無線フレームが渡された後、ＴＲＵＥに設定される。それ以外の場合、ＵＥ＿ＤＴＸ＿ＤＲＸ＿Ｅｎａｂｌｅｄは、ＦＡＬＳＥに設定される。不連続ＤＬ受信は、ＵＥ＿ＤＴＸ＿ＤＲＸ＿ＥｎａｂｌｅｄがＴＲＵＥに設定されたときに、アクティブ化され、さらに、レイヤ１のＨＳ−ＳＣＣＨ命令によって、非アクティブ化またはアクティブ化することができる。ＤＴＸ＿ＤＲＸ＿ＳＴＡＴＵＳおよびＥｎａｂｌｉｎｇ＿Ｄｅｌａｙは、すべてのＤＬキャリアについて共通とすることができる。
【００７３】
評価されたＤＬ＿ＤＲＸ＿Ａｃｔｉｖｅ状態変数（キャリアのすべてのグループは同じＤＬ＿ＤＲＸ＿Ａｃｔｉｖｅを有する）に基づいて、ＵＥは、キャリアのグループ毎に独立に以下のアクションを取ることができる。ＤＬ＿ＤＲＸ＿ＡｃｔｉｖｅがＴＲＵＥである場合、ＵＥは、キャリアのすべてのグループについて、すべてのＤＬ物理チャネルを連続的に監視し、受信することができる。ＤＬ＿ＤＲＸ＿ＡｃｔｉｖｅがＴＲＵＥである場合、ＵＥは、Ｆ−ＤＰＣＨを受信し続けることができ、上述の７つの例外を除いて、Ｆ−ＤＰＣＨ以外の物理ＤＬチャネルを受信することはできない。ＵＥは、例外（１）から（７）を各キャリアグループに個別に適用して、特定のグループについて、対応するＤＬチャネルにおける受信が必要かどうかを判定することができる（すなわち、ＵＥは、キャリアグループ毎に、例外に従って、対応するＤＬチャネルを監視し、受信する）。
【００７４】
第１の実施形態と第２の実施形態の相違は、第１の実施形態では、ＵＥは、ＤＬ＿ＤＲＸ＿Ａｃｔｉｖｅ（ｋ）状態変数がＴＲＵＥに設定されたグループに、例外（１）から（７）を適用するが、第２の実施形態では、ＵＥは、単一のＤＬ＿ＤＲＸ＿ＡｃｔｉｖｅがＴＲＵＥである場合、すべてのグループに、例外（１）から（７）までを（適用可能であれば）適用し、ただし、例外はグループ毎に適用される点にある。
【００７５】
セカンダリセルの自律的な非アクティブ化についての実施形態が開示される。
【００７６】
一実施形態によれば、ＵＥは、非アクティブ化非アクティビティタイマ（ｄｅａｃｔｉｖａｔｉｏｎ  ｉｎａｃｔｉｖｉｔｙ  ｔｉｍｅｒ）がＵＥにおいて満了した（例えば、そのセカンダリＤＬセルにおいて、または任意のＤＬセル（すなわちプライマリおよびセカンダリＤＬセル）においてデータが受信されない）場合に、セカンダリセルを非アクティブ化することができる。非アクティブ化非アクティビティタイマの値は、満了後にＵＥがＤＲＸに入る値（すなわち、Ｉｎａｃｔｉｖｉｔｙ＿Ｔｈｒｅｓｈｏｌｄ＿ｆｏｒ＿ＵＥ＿ＤＲＸ＿ｃｙｃｌｅ）と同じにすることができる。あるいは、非アクティブ化非アクティビティタイマの値は、異なる値（例えば、ｄｅａｃｔｉｖａｔｉｏｎ＿ｉｎａｃｔｉｖｉｔｙ＿ｔｈｒｅｓｈｏｌｄ）とすることができる。
【００７７】
別の実施形態によれば、ＵＥは、２つのステップで、セカンダリセルを非アクティブ化することができる。第１のステップでは、ＵＥは、ＨＳ−ＳＣＣＨ命令を除いて、最後のＩｎａｃｔｉｖｉｔｙ＿Ｔｈｒｅｓｈｏｌｄ＿ｆｏｒ＿ＵＥ＿ＤＲＸ＿ｃｙｃｌｅサブフレームの最中に、ＵＥがいかなるデータも受信しない（例えば、ＷＣＤＭＡにおいては、ＨＳ−ＳＣＣＨもしくはＨＳ−ＰＤＳＣＨサブフレームの受信、またはＬＴＥにおいては、物理ダウンリンク制御チャネル（ＰＤＣＣＨ）における新しいＵＬ／ＤＬ受信がない）場合に、ＤＲＸに入ることができ、あるいはＵＥは、初期構成時に、または明示的なＨＳ−ＳＣＣＨ命令があったときに、ＤＲＸに入ることができる。
【００７８】
第２のステップでは、ＵＥは、ＤＲＸが開始してから、さらなる非アクティブ化非アクティビティタイマが満了したという条件で、セカンダリセルを非アクティブ化することができる。例えば、ＵＥは、ＤＲＸに入って以降、最後のｄｅａｃｔｉｖａｔｉｏｎ＿ｉｎａｃｔｉｖｉｔｙ＿ｔｈｒｅｓｈｏｌｄサブフレームの最中に、ＵＥがどのような送信も受信していない（例えば、ＨＳ−ＳＣＣＨもしくはＨＳ−ＰＤＳＣＨサブフレーム、またはＰＤＣＣＨにおけるＵＬ／ＤＬ受信）という条件で（すべてのＨＳ−ＳＣＣＨもしくはＨＳ−ＰＤＳＣＨ受信、およびキャリアアクティブ化のためのＨＳ−ＳＣＣＨ命令を含む、または代替として、ＨＳ−ＳＣＣＨ命令を含まない）、セカンダリセルを非アクティブ化することができる。あるいは、ＵＥは、最後の（Ｉｎａｃｔｉｖｉｔｙ＿Ｔｈｒｅｓｈｏｌｄ＿ｆｏｒ＿ＵＥ＿ＤＲＸ＿ｃｙｃｌｅ＋ｄｅａｃｔｉｖａｔｉｏｎ＿ｉｎａｃｔｉｖｉｔｙ＿ｔｈｒｅｓｈｏｌｄ）サブフレームの最中に、ＨＳ−ＳＣＣＨまたはＨＳ−ＰＤＳＣＨサブフレームを受信していないという条件で、セカンダリセルを非アクティブ化することができる。自律的な非アクティブ化は、ＤＲＸに結び付けることができ、それについて以下で詳細に説明する。本開示の全体において、ＨＳ−ＳＣＣＨまたはＨＳ−ＰＤＳＣＨサブフレーム受信は、ＰＤＣＣＨ受信がないことに対応することができ、またはＬＴＥにおいては、ＰＤＣＣＨにおいてスケジュールされたＵＬもしくはＤＬ送信がないことに対応することができる。
【００７９】
ＵＥは、セカンダリセルについての、セカンダリセルを含むセルのグループについての、またはすべてのセルについてのＤＲＸアクティブ化命令の受信時に、セカンダリセルを非アクティブ化することができる。より具体的には、ＵＥは、ＤＲＸをアクティブ化するためのＨＳ−ＳＣＣＨ命令を受信した後、セカンダリセルを非アクティブ化することができる。ＤＲＸ非アクティブ化は、セカンダリセルが非アクティブ化状態にある場合は、セカンダリセルを再アクティブ化することができる。
【００８０】
ＵＥは、ＵＥがＤＲＸの初期状態をアクティブと見なす、ＤＲＸの初期構成時に、セカンダリセルを非アクティブ化することができる。例えば、あるセカンダリセルについて、ＤＲＸがＵＥにおいて構成されている場合、そのセカンダリセルを非アクティブ化することができる。これは、ＨＳ−ＤＳＣＨサービングセル変更が発生したという条件を含むことができ、その場合、ＵＥは、ＨＳ−ＳＣＣＨ命令を受信しなかったかのように、ＤＲＸステータスを設定する（すなわちアクティブ）。
【００８１】
非アクティブ化ステータスは、ＤＲＸステータスに依存することができる。（ＤＲＸアクティブ化命令を受信したとき、ＨＳ−ＤＳＣＨサービングセル変更が発生したときを含む、より高位のレイヤによってＤＲＸが初めて構成されたとき、関連付けられたＵＬキャリアに対するＤＴＸアクティブ化命令を受信したとき、またはＩｎａｃｔｉｖｉｔｙ＿Ｔｈｒｅｓｈｏｌｄ＿ｆｏｒ＿ＵＥ＿ＤＲＸ＿ｃｙｃｌｅサブフレームの後でＵＥがＤＲＸを開始したときなどに）ＵＥがＤＲＸを開始できるように、ＤＬ＿ＤＲＸ＿ＡｃｔｉｖｅがＴＲＵＥである場合、ＵＥは、セカンダリセルを非アクティブ化することができる。
【００８２】
ＨＳ−ＳＣＣＨ  ＤＲＸアクティブ化命令を受信したとき、初期ＤＲＸ動作が開始したとき、および／またはＨＳ−ＤＳＣＨサービングセル変更が発生したとき、セカンダリセルは、最初、アクティブ化されていると見なすことができ、上で開示された実施形態の１つに従って、後で自律的に非アクティブ化することができる。例えば、セカンダリセルの初期状態がアクティブである場合、ＵＥは、ＵＥのＤＲＸステータスが、連続受信（例えば、ＵＥは、少なくともＩｎａｃｔｉｖｉｔｙ＿Ｔｈｒｅｓｈｏｌｄ＿ｆｏｒ＿ＵＥ＿ＤＲＸ＿ｃｙｃｌｅサブフレームの間、ＨＳ−ＳＣＣＨを連続的に監視する）から不連続受信（例えば、ＵＥは、ＨＳ−ＳＣＣＨを連続的に監視しない）に変化した後、セカンダリセルを非アクティブ化することができる。
【００８３】
あるいは、セカンダリキャリアは、アクティブであり、ＤＲＸにあると見なすことができ、一定の期間（例えば、Ｉｎａｃｔｉｖｉｔｙ＿Ｔｈｒｅｓｈｏｌｄ＿ｆｏｒ＿ＵＥ＿ＤＲＸ＿ｃｙｃｌｅまたはｄｅａｃｔｉｖａｔｉｏｎ＿ｉｎａｃｔｉｖｉｔｙ＿ｔｈｒｅｓｈｏｌｄ）にわたってデータを受信していないとＵＥが決定すると、非アクティブ化することができる。
【００８４】
あるいは、自律的な非アクティブ化は、ＤＲＸと結び付けてもよく、または結び付けなくてもよく、タイマ（またはカウンタ）は、セカンダリＤＬキャリアが構成されたとき、アクティブ化命令を使用してセカンダリＤＬセルがアクティブ化されたとき、ＵＥがアクティブ化命令を受信したとき、ＵＥがデータ（例えば、ＨＳ−ＳＣＣＨまたはＨＳ−ＰＤＳＣＨ）を受信したとき、２つ以上の周波数帯域においてＤＬセルが構成またはアクティブ化されたとき、ＵＥが（共通パイロットチャネル（ＣＰＩＣＨ）受信信号符号電力（ＲＳＣＰ）、受信信号強度インジケータ（ＲＳＳＩ）などの）電力測定値を受信した、またはプライマリＤＬセルにおいて受信したトランスポートブロックサイズもしくは測定されたチャネル品質インジケータ（ＣＱＩ）値が、事前定義もしくは構成された閾値よりも低いとき、および／あるいはＨＳ−ＳＣＣＨ不使用の動作を用いてプライマリＤＬセルが構成されたときなどに、開始または再開することができる。タイマが満了したとき、ＵＥは、セカンダリセルを非アクティブ化することができる。
【００８５】
非アクティブ化されたセカンダリセルの再アクティブ化についての実施形態が開示される。非アクティブ化されたセカンダリセルは、プライマリセルにおいて、プライマリ帯域内のいずれかのアクティブセルにおいて、またはいずれかのアクティブセルにおいてデータが受信されたという条件で、再アクティブ化することができる。プライマリセルにおける、プライマリ帯域内のいずれかのアクティブセルにおける、またはいずれかのアクティブセルにおけるデータ受信は、事前定義された期間（例えば、Ｉｎａｃｔｉｖｉｔｙ＿Ｔｈｒｅｓｈｏｌｄ＿ｆｏｒ＿ＵＥ＿ＤＲＸ＿ｃｙｃｌｅもしくはｄｅａｃｔｉｖａｔｉｏｎ＿ｉｎａｃｔｉｖｉｔｙ＿ｔｈｒｅｓｈｏｌｄ）にわたってＵＥが連続受信を実行している間のＨＳ−ＳＣＣＨもしくはＨＳ−ＰＤＳＣＨサブフレームの受信を含む、ＨＳ−ＳＣＣＨもしくはＨＳ−ＰＤＳＣＨサブフレームの受信、ＨＳ−ＳＣＣＨ命令ではないＨＳ−ＳＣＣＨの受信、および／またはＥ−ＡＧＣＨにおける特別なもしくは予約された絶対グラント値の受信を含むことができる。
【００８６】
あるいは、非アクティブ化されたセルは、アクティブ化命令を受信した（すなわち、ネットワークが明示的な命令を送信した）ときに、再アクティブ化することができる。
【００８７】
セルの再アクティブ化は、事前定義された期間中の、少なくとも１つのセルにおけるデータの受信に依存することができる。例えば、セル（例えば、プライマリセルまたはいずれかのアクティブ化されたセル）が、所定の数のサブフレームの間、連続受信を続けている場合、ＵＥは、セカンダリセルを再アクティブ化することができる。あるいは、再アクティブ化は、ＵＥによって受信されているデータの量に依存することができる。ＵＥが、事前定義された期間中に（この条件は随意）、一定量のデータを受信している（例えば、所定の数よりも多くのバイトもしくはビットを受信している、またはトランスポートブロック（ＴＢ）サイズに関する閾値よりも多くのＴＢを受信している）場合、ＵＥは、セカンダリセルを自律的に再アクティブ化することができる。あるいは、セカンダリセルは、高優先度の論理チャネルからＵＥがデータを受信したという条件で、再アクティブ化することができる。あるいは、再アクティブ化は、ネットワークからＤＲＸ非アクティブ化命令またはＤＲＸ構成解除を受信したときに、発生することができる。
【００８８】
あるいは、セカンダリセルは、（ＣＰＩＣＨ  ＲＳＣＰ、ＲＳＳＩなどの）ＵＥ電力測定値、受信したトランスポートブロックサイズ、またはプライマリＤＬセルにおいて測定されたＣＱＩ値が、事前定義または設定された閾値以上であるという条件で、再アクティブ化することができる。あるいは、セカンダリセルは、ネットワークからＨＳ−ＳＣＣＨ不使用の非アクティブ化命令またはＨＳ−ＳＣＣＨ不使用の構成解除を受信したときに、再アクティブ化することができる。
【００８９】
２つ以上のセカンダリセルがアクティブ化または構成され、上述のセル非アクティブ化のための基準の１つまたは組み合わせが満たされる場合、ＵＥは、セカンダリセルのすべてまたはサブセットを非アクティブ化することができる。あるいは、非アクティブ化基準は、セカンダリセル毎に監視することができ、ＵＥは、少なくとも非アクティブ化基準が満たされるセカンダリセルを非アクティブ化することができる。あるいは、非アクティブ化基準は、セカンダリセルのグループ毎に監視することができ、セカンダリキャリアのグループは、事前定義することができ（例えば、同じ帯域、周波数に属するセル、もしくは上述の条件のいずれかに従う）、またはＲＲＣシグナリングによって、もしくは事前定義されたルールに従って、明示的に構成することができる。例えば、Ｘ個のセルが、セルの１組またはグループと見なされる場合、Ｘ個すべてのセルにおいて、非アクティビティ期間を監視することができる。上述したことは、セルのアクティブ化にも適用することができる。
【００９０】
セカンダリセルの自律的な非アクティブ化に関連する非アクティブ化非アクティビティタイマは、以下の方法の１つまたは組み合わせで設定することができる。すべてのセカンダリセルのために、１つの共通の非アクティビティ閾値（または非アクティビティタイマ）を設定することができる。あるいは、セル毎に、またはセルのグループ毎に、非アクティビティ閾値（または非アクティビティタイマ）を設定することができる。セルは、上で開示されたいずれかの実施形態に従って、グループ化することができる。例えば、デュアルバンドの場合、それぞれプライマリ帯域とセカンダリ帯域のために、帯域毎の非アクティビティタイマを設定することができる。例えば、プライマリ帯域のための非アクティビティタイマは、（「無限大」など）より大きな値に設定することができ、一方、セカンダリ帯域のための非アクティビティタイマは、より低い閾値を有するセカンダリ帯域受信機をシャットダウンすることによって、電力節約を促進するために、より小さな値に設定することができる。
【００９１】
セカンダリセルの自律的なアクティブ化／非アクティブ化は、マルチキャリア動作をサポートするすべてのＵＥにおいて可能にすることができ、もしくは必ずしもすべてのＵＥにおいて可能にしなくてもよく、またはネットワークによって明示的に構成することができる。セカンダリセルの自律的なアクティブ化／非アクティブ化は、非アクティビティタイマ閾値に結び付けることができ、その結果、ＵＥは、非アクティビティタイマ閾値が一定の値（例えばゼロ）を下回った場合、セルを自律的に非アクティブ化することができる。
【００９２】
自律的非アクティブ化モードの構成（開始時間が異なる無効化および有効化）についての実施形態がこれ以降で開示される。
【００９３】
一実施形態によれば、ネットワークは、非アクティビティタイマを設定し、非アクティビティタイマ値に基づいて決定される、ＵＥにおける自律的非アクティブ化モードを構成することができる。ＵＥは、非アクティビティタイマ設定に基づいて、自律的な非アクティブ化を実行する必要があるかどうかを決定することができる。非アクティビティタイマ値は、無限大に、または構成メッセージ内の有限な１組の値のうちの事前定義された値に設定することができる。例えば、自律的非アクティブ化モードは、非アクティビティタイマを「無限大」に設定することによって、ＵＥにおいて無効にすることができる。ネットワークは、非アクティビティタイマを「０」に設定することによって、Ｉｎａｃｔｉｖｉｔｙ＿Ｔｈｒｅｓｈｏｌｄ＿ｆｏｒ＿ＵＥ＿ＤＲＸ＿ｃｙｃｌｅの後すぐに開始するように、自律的な非アクティブ化を構成することができる。あるいは、ネットワークは、非アクティビティタイマを「無限大」または「０」の代わりに一定の値に設定することによって、ＵＥにおいて、所定の数のサブフレーム（例えば、ｄｅａｃｔｉｖａｔｉｏｎ＿ｉｎａｃｔｉｖｉｔｙ＿ｔｈｒｅｓｈｏｌｄ）が非アクティビティであった後に、自律的な非アクティブ化が開始することを可能にすることができる。あるいは、非アクティビティタイマは、列挙型のＩＥとすることができ、列挙された値の１つを予約しておいて、与えられたセルには非アクティブ化メカニズムを適用できないことを伝えることができる。あるいは、構成メッセージ内に非アクティビティタイマＩＥが存在しない場合、ＵＥはセカンダリセルを自律的に非アクティブ化できないと解釈することができる。
【００９４】
別の実施形態によれば、ネットワークは、高位レイヤを介して伝えられる準静的なパラメータを導入することによって、自律的非アクティブ化モードを構成することができる。非アクティビティタイマは、仕様によって事前定義することができ、または上述したように伝えることができる。ＲＲＣメッセージに新しいＩＥを導入することができる。ＵＥは、自律的非アクティブ化モードの構成情報をＲＲＣメッセージから抽出する。例えば、「自律的非アクティブ化構成のステータス」と呼ばれる新しいパラメータを定義することができ、このパラメータは、より高位のレイヤから、ＵＥおよびノードＢにおける物理レイヤに伝えられる。「自律的非アクティブ化構成のステータス」は、自律的非アクティブ化モードの無効化または有効化を示す、２進値の０または１とすることができる。
【００９５】
別の実施形態によれば、自律的非アクティブ化モードは、ＨＳ−ＳＣＣＨ命令によって、動的にアクティブ化および非アクティブ化することができる。ＨＳ−ＳＣＣＨ命令は、命令（指令）タイプビットと、命令（指令）ビットとを含む。例えば、現行の３ＧＰＰ仕様のもとでは、命令ビットの「１００」と「１０１」は、命令タイプが「０００」である場合、予備として未使用である。これらの予備の命令ビットは、表１に示すように、この目的のために使用することができる。表１とは異なるマッピングを使用することもできる。あるいは、新しい命令（指令）タイプをこの目的のために導入することもできる。
【００９６】
【表１】
2013516927.tif 000003
【００９７】
セカンダリＵＬセルが構成されている、またはアクティブである場合、セカンダリＵＬセルのステータスは、関連付けられたＤＬセルのステータスに依存することができる。セカンダリＵＬセルに関連付けられたセカンダリＤＬセルは、上で指定されたセカンダリＤＬセルについての非アクティブ化基準が満たされる場合であっても、非アクティブ化することができない（すなわち、セカンダリＤＬセルは、上述の非アクティブ化基準が満たされ、かつセカンダリＤＬセルが、関連付けられたセカンダリＵＬセルをもたない場合に、非アクティブ化することができる）。あるいは、セカンダリセルの非アクティブ化は、関連付けられたセカンダリＵＬセルがアクティブ化されているかどうかに依存することができる。ＤＬセルのグループを非アクティブ化するための基準が満たされ、かつグループ内のあるセカンダリＤＬセルがＵＬセルに関連付けられている場合、ＵＥは、グループ内の他のすべてのセカンダリＤＬセルを非アクティブ化し、本明細書で説明されるルールに従って、関連付けられたセカンダリＵＬセル（または２つ以上のセカンダリＵＬセルが存在する場合は複数のＵＬセル）のアクティブ化ステータスを決定することができる。例えば、上述のルールによれば、ＵＬセルがアクティブである場合、ＵＥは、そのＵＬセルと関連付けられたセカンダリＤＬセルを除く、グループ内のすべてのＤＬセルを非アクティブ化することができる。あるいは、非アクティブ化基準が満たされる場合であっても、関連付けられたセカンダリＵＬセルがアクティブであるならば、ＵＥは、グループ内のＤＬセルのいずれも非アクティブ化することはできない。
【００９８】
あるいは、セカンダリＤＬセルの非アクティブ化基準が満たされ、ＵＥが、セカンダリＤＬセルを自律的に非アクティブ化すると決定した場合、ＵＥは、セカンダリＤＬセルと関連付けられたセカンダリＵＬセルを非アクティブ化することができる。
【００９９】
あるいは、関連付けられたセカンダリＤＬセルは、上述の非アクティブ化基準が満たされ、（１）セカンダリＵＬキャリア、またはプライマリおよびセカンダリＵＬセルの両方が、ＵＥ＿ＤＴＸ＿ｃｙｃｌｅ＿２を用いて動作している、（２）バッファステータス（例えば、合計Ｅ−ＤＣＨバッファステータス（ＴＥＢＳ））が、設定された閾値を下回る、（３）ＵＥが、事前定義された期間の間、どのようなＵＬ送信も実行していない、および／または（４）セカンダリＵＬキャリアが非アクティブ化されているという付加的な基準の１つまたは組み合わせが満たされる場合、セカンダリＵＬセルと一緒に非アクティブ化することができる。ＵＥ＿ＤＴＸ＿ｃｙｃｌｅ＿２は、サブフレーム内のアップリンクＤＰＣＣＨバーストパターン長を定義し、それは、ＵＥ＿ＤＴＸ＿ｃｙｃｌｅ＿１よりも長い。ＵＥは、ＵＥ＿ＤＴＸ＿ｃｙｃｌｅ＿１にある間にＥ−ＤＣＨ送信が行われず、所定の数の連続的なＥ−ＤＣＨ送信時間間隔（ＴＴＩ）が経過した後、ＵＥ＿ＤＴＸ＿ｃｙｃｌｅ＿２に移行する。
【０１００】
ＵＥが、セカンダリＵＬセルとセカンダリＤＬセルの両方を非アクティブ化した場合、セカンダリＤＬセルを再アクティブ化するための条件が満たされると、ＵＥは、ＤＬにおいてデータを受信したときに、セカンダリＤＬセルを暗黙的に再アクティブ化することができ、またはＵＥは、セカンダリＵＬセルとセカンダリＤＬセルの両方を再アクティブ化することができる。セカンダリＵＬセルは、ネットワークからの明示的な命令で再アクティブ化することができる。セカンダリＵＬセルとセカンダリＤＬセルはともに、ＨＳ−ＳＣＣＨ命令を用いてアクティブ化することができる。
【０１０１】
あるいは、セカンダリＵＬキャリアは、（１）セカンダリセル、もしくはプライマリセルとセカンダリセルの両方が、ＵＥ＿ＤＴＸ＿ｃｙｃｌｅ  ２を用いて動作していない、またはＵＥが、もはやＤＴＸにない、（２）バッファステータス（例えば、ＴＥＢＳ）が、設定された閾値になった、またはそれを上回った、（３）ＵＥが、送信するデータを有する、またはＵＥが、優先度が閾値を上回る論理チャネルからのデータを有するなどの条件のうちの少なくとも１つが満たされるまで、非アクティブのままとすることができる。
【０１０２】
ＵＥは、ＤＲＸがＵＥにおいて構成されていない場合であっても、セカンダリＤＬセルを暗黙的に非アクティブ化することが可能とすることができる。上述のＤＬキャリアの非アクティブ化についての実施形態は、このケースに適用可能である。例えば、非アクティビティ基準が使用される場合、およびＵＥが、所定の数（例えば、ｄｅａｃｔｉｖａｔｉｏｎ＿ｉｎａｃｔｉｖｉｔｙ＿ｔｈｒｅｓｈｏｌｄ）のサブフレームの間、どのようなＨＳ−ＳＣＣＨまたはＨＳ−ＰＤＳＣＨサブフレームも受信しなかった場合、ＵＥは、ＤＲＸがＵＥにおいて構成されていない場合であっても、セカンダリＤＬセルを非アクティブ化することができる。閾値（ｄｅａｃｔｉｖａｔｉｏｎ＿ｉｎａｃｔｉｖｉｔｙ＿ｔｈｒｅｓｈｏｌｄ）は、ネットワーク設定可能な値とすることができ、Ｉｎａｃｔｉｖｉｔｙ＿Ｔｈｒｅｓｈｏｌｄ＿ｆｏｒ＿ＵＥ＿ＤＲＸ＿ｃｙｃｌｅなどの既存の閾値に等しくすること、もしくはそれの関数とすることができ、またはＵＥにおいて事前定義することができる。
【０１０３】
セカンダリセルがＨＳ−ＳＣＣＨ命令によって明示的に非アクティブ化または再アクティブ化される場合、ＵＥは、高速個別物理制御チャネル（ＨＳ−ＤＰＣＣＨ）を介して、ハイブリッド自動再送要求（ＨＡＲＱ）肯定応答（ＡＣＫ）をネットワークに送信する。セカンダリセルは暗黙的に非アクティブ化または再アクティブ化される（すなわち、ＨＳ−ＳＣＣＨ命令以外の手段によってアクティブ化または非アクティブ化される）場合、ＵＥは、ネットワークに通知を送信してもよく、または送信しなくてもよい。ＨＳ−ＤＰＣＣＨフォーマットは、自律的なアクティブ化または非アクティブ化の後も、同じままとすることができる。あるいは、ＨＳ−ＤＰＣＣＨフォーマットは、セルがＨＳ−ＳＣＣＨ命令によってアクティブ化または非アクティブ化されたかのように、変更することができる。
【０１０４】
セカンダリキャリアの自律的な非アクティブ化の後で、ネットワークに通知を送信するため、ＵＥは、特別な事前定義されたチャネル品質インジケータ（ＣＱＩ）、特別な事前定義されたＨＡＲＱ否定応答（ＮＡＣＫ）、または特別な事前定義されたプリコーディングインジケータ（ＰＣＩ）値（自律的な非アクティブ化の前に、キャリアが多入力多出力（ＭＩＭＯ）を用いるように構成された場合）などをフィードバックすることができる。
【０１０５】
自律的な非アクティブ化／再アクティブ化の後で通知を送信するために、ＨＳ−ＤＰＣＣＨフォーマットが変更される場合、ＵＥは、旧いＨＳ−ＤＰＣＣＨフォーマットを使用して、応答を伝えることができ、その後、ＡＣＫ／ＮＡＣＫを送信した後で、またはＡＣＫ／ＮＡＣＫを送信してから事前定義された時間が経過した後で、新しいＨＳ−ＤＰＣＣＨフォーマットになることができる。
【０１０６】
あるいは、ＵＥは、レイヤ２シグナリングを使用して、セカンダリセルのアクティブ化／非アクティブ化をノードＢに通知することができる。これは、例えば、ＭＡＣ−ｉプロトコルデータユニット（ＰＤＵ）を使用することによって、実行することができ、特別なヘッダ、または論理チャネル識別情報（ＬＣＨ−ＩＤ）値を使用して、通知を伝えることができる。あるいは、特別な値または予約された値を有するスケジューリング情報（ＳＩ）を使用することができる。ＨＳ−ＤＰＣＣＨにおいてフォーマットの変更が発生した場合、ＵＥは、ＨＳ−ＤＰＣＣＨフォーマットを変更する前に、ＭＡＣ−ｉ  ＰＤＵのためのサービングセルから、Ｅ−ＨＩＣＨを介して、ＡＣＫを受信するのを待つことができる。
【０１０７】
非アクティブ化を目的とした非アクティビティの監視は、以下で説明するように、ＤＲＸ監視に類似した概念を使用して、実行することができる。より具体的には、非アクティブ化非アクティビティ閾値の監視は、共通とすること、グループ毎とすること、またはセル毎とすることができる。
【０１０８】
共通のＤＲＸ動作、グループ毎のＤＲＸ動作、またはセル毎のＤＲＸ動作とともに、セカンダリセルの自律的な非アクティブ化に到る２ステップのＤＲＸを実行することができる。
【０１０９】
共通のＤＲＸ制御がすべてのセルに適用される場合、ＵＥは、Ｉｎａｃｔｉｖｉｔｙ＿Ｔｈｒｅｓｈｏｌｄ＿ｆｏｒ＿ＵＥ＿ＤＲＸ＿ｃｙｃｌｅに従って（すなわち、ＵＥは、ＨＳ−ＳＣＣＨ命令を除いて、最後のＩｎａｃｔｉｖｉｔｙ＿Ｔｈｒｅｓｈｏｌｄ＿ｆｏｒ＿ＵＥ＿ＤＲＸ＿ｃｙｃｌｅサブフレームの間に、ＨＳ−ＳＣＣＨもしくはＨＳ−ＰＤＳＣＨサブフレームを受信していない）、ＤＲＸに入ることができ、またはＵＥは、初期構成時に、もしくは（プライマリキャリアおよびすべてのセカンダリキャリアを含む）すべてのキャリアのための明示的なＨＳ−ＳＣＣＨ命令があったときに、ＤＲＸに入る。その後、ＵＥは、共通、グループ毎、または個別とすることができる非アクティブ化監視動作を適用し、所定の基準が満たされた場合に、１つまたは複数のセカンダリセルを非アクティブ化することができる。例えば、ＵＥが、同じＤＲＸ制御動作をすべてのキャリアに適用し、グループ毎（例えば帯域毎）の非アクティビティタイマが、セカンダリセルの自律的な非アクティブ化のために使用される場合、グループのための（例えばセカンダリ帯域のための）非アクティビティタイマが満了すると、ＵＥは、グループ（例えばセカンダリ帯域）と関連付けられたセカンダリセルを非アクティブ化することはできるが、他のグループ内（例えばプライマリ帯域内）のセルを非アクティブ化することはできない。あるいは、３つ以上のグループが構成される場合、独立のグループ毎の監視を適用することができるが、１つのグループにおいて基準が満たされると、グループのサブセットに属するすべてのセカンダリセルを非アクティブ化することができる。サブセットは、プライマリセルが存在しないグループに属することができ、またはグループは、ネットワークによって明示的に構成することができる。例えば、３つ以上の帯域が構成され、１つの帯域におけるタイマが満了した場合、ＵＥは、セカンダリ帯域内のすべてのセカンダリセルを非アクティブ化することができるが、プライマリ帯域内では非アクティブ化することができない。ＵＥのために３つ以上の帯域が構成される場合、ＵＥは、各セカンダリ帯域内で構成されたセカンダリキャリアを、そのセカンダリ帯域のための非アクティビティタイマが満了したならば、個別に非アクティブ化することができる。あるいは、ＵＥは、周波数帯域に係わりなく、またはプライマリセルが属するグループに係わりなく、すべてのセカンダリキャリアを非アクティブ化することができる。例えば、共通の非アクティブ化閾値の監視が実行される場合、すべてのセルのための非アクティビティ閾値を設定することができ、すべてのセルのためのタイマが満了した場合、ＵＥは、すべてのセカンダリセルを非アクティブ化することができる。別の例では、セル毎の非アクティビティ閾値を維持することができ、その場合、ＵＥは、対応するセカンダリセルを非アクティブ化することができる。非アクティブ化閾値がＤＲＸ状態とは独立である場合、同じ概念を適用することができる。
【０１１０】
グループ毎のＤＲＸ制御動作の場合、各セルグループ内のセカンダリセルは、共通のＤＲＸ制御の場合のように、共通のＤＲＸ状態マシーンを使用することによって、グループ内で独立かつ自律的に非アクティブ化することができる。共通のＤＲＸ制御とグループ毎のＤＲＸ制御動作の相違は、共通のＤＲＸ制御動作の場合は、すべてのキャリア（またはプライマリセル）がＤＲＸに入るまで、セカンダリセルの自動的な非アクティブ化のためのプロセスが開始しないのに対して、グループ毎のＤＲＸ制御動作の場合は、異なるセルグループが、異なる時間において、独自のＤＲＸサイクルに入ることができることである。キャリアグループは、上述のように定義することができる。別の例では、ＤＲＸに入ったグループ内で、グループ毎の非アクティブ化非アクティビティ監視を適用することができ、グループは、ＤＲＸグループ内のセルに、またはＤＲＸグループ内のセルのサブセットに等しいとすることができる。
【０１１１】
セル毎のＤＲＸ制御動作の場合、（プライマリキャリアを除く）各キャリアは、独立かつ自律的に非アクティブ化することができる。
【０１１２】
セルを非アクティブ化することで、他のキャリアの中断を引き起こすことがある。セカンダリセルの自律的な非アクティブ化に起因する、他のセルの中断時間を短縮するため、非アクティブ化非アクティビティタイマを、他のセルのＤＲＸに結び付けて設定することができる。例えば、非アクティブ化非アクティビティタイマは、他のセルのすべてが、非アクティブ化されない他のセルのＤＲＸのスリープ（アイドル）期間内にある場合に、セカンダリセルを非アクティブ化できるように、設定することができる。これは、中断を引き起こしたセルグループ内において、またはすべてのセルにおいて適用することができる。
【０１１３】
あるいは、アクティブ化タイマの満了が、中断を引き起こし得る他のセルのＤＲＸと一致いない場合であっても、アクティブ化タイマの満了後、ＵＥは、中断され得るセルが受信しなくなる（例えば、非アクティブ化される、またはＤＲＸサイクルのアイドル期間になる）まで、待つことができる。他のセルがアクティブである場合、ＵＥは、それらのセルがＤＲＸ（アイドル期間）に入るまで、待つことができ、その後、ＵＥは、タイマが満了したセルを非アクティブ化することができる。非アクティビティタイマが満了した後の、他のセルがアクティブである期間中、ＵＥは、そのキャリア上で何らかのデータを受信した場合、非アクティビティタイマを再開することができ、または代替として、ＵＥは、非アクティビティタイマを再開しなくてもよく、他のセルがＤＲＸサイクルのアイドル期間になるのを待ち、その後、セルを非アクティブ化することができる。あるいは、（非アクティビティタイマの満了後の）その期間中、ＵＥは、受信および潜在的にはＨＳ−ＤＰＣＣＨフィードバックの目的で、セルを非アクティブであると見なすことができるが、対応するセルがアイドル基準を満たすまでは、セルを物理的に非アクティブ化することはできない。
【０１１４】
ＤＲＸが有効であるときのＤＬチャネルの受信または監視の調整についての実施形態がこれ以降で開示される。ＤＲＸ監視は、すべてのセルに、グループ毎に、または個別のセル毎に共通とすることができる。
【０１１５】
一実施形態によれば、すべてのＤＬセルに同じＤＲＸ監視を適用することができる（すなわち、すべてのセルは同じＤＲＸ監視に従う）。単一のＨＳ−ＳＣＣＨ受信パターンを定義することができ、ＵＥは、同時にすべてのＤＬセルにおいて、単一のＨＳ−ＳＣＣＨ受信パターンに従って監視することができる。ＤＲＸが有効である場合、ＵＥは、最後のＩｎａｃｔｉｖｉｔｙ＿Ｔｈｒｅｓｈｏｌｄ＿ｆｏｒ＿ＵＥ＿ＤＲＸ＿ｃｙｃｌｅサブフレームの間に、いずれかのＤＬセルにおいて、ＨＳ−ＳＣＣＨ命令ではない、ＨＳ−ＳＣＣＨまたはＨＳ−ＰＤＳＣＨサブフレームを受信したならば、すべてのＤＬセルにおいてＤＬ物理チャネルを受信することができる。ＤＬチャネルを監視するための他の条件を適用することもできる（上で定義された例外（１）〜（７））。
【０１１６】
すべてのセルに同じＨＳ−ＳＣＣＨ受信パターンを適用することができ、同じＨＳ−ＳＣＣＨ受信パターンは、ＨＳ−ＳＣＣＨ不連続受信無線フレーム番号ＣＦＮ＿ＤＲＸとサブフレーム番号Ｓ＿ＤＲＸが次式を成り立たせる、１組のサブフレームとして定義することができる。
（（５×ＣＦＮ＿ＤＲＸ−ＵＥ＿ＤＴＸ＿ＤＲＸ＿Ｏｆｆｓｅｔ＋Ｓ＿ＤＲＸ）  ＭＯＤ  ＵＥ＿ＤＲＸ  ｃｙｃｌｅ）＝０
【０１１７】
図２は、すべてのキャリアに同じＤＲＸ監視を適用する一例を示している。この例では、ＵＥは、４つのセル（プライマリセルおよび３つのセカンダリセル）を用いるように構成される。ＵＥは、すべてのＤＬキャリアにおいて、ＵＥ＿ＤＲＸ＿ｃｙｃｌｅに基づいて決定されるサブフレームにおいてＨＳ−ＳＣＣＨを同時に監視する。ＨＳ−ＳＣＣＨ（例えば、ＨＳ−ＳＣＣＨサブフレーム＃１）が正常に復号されると、ＵＥは、対応するＨＳ−ＰＤＳＣＨ（例えば、ＨＳ−ＰＤＳＣＨサブフレーム＃１）においてデータを受信し、すべてのＤＬキャリアにおいて、Ｉｎａｃｔｉｖｉｔｙ＿Ｔｈｒｅｓｈｏｌｄ＿ｆｏｒ＿ＵＥ＿ＤＲＸ＿ｃｙｃｌｅサブフレーム（例えば、サブフレーム２〜５）がないか、ＨＳ−ＳＣＣＨおよびＨＳ−ＰＤＳＣＨ、ならびに他のすべてのＤＬ物理チャネルを継続的に監視する。図２に示すように、ＵＥは、すべてのキャリアにおいてサブフレーム＃９を監視し、プライマリキャリアにおけるサブフレーム＃１３〜１５においてＨＳ−ＳＣＣＨおよびＨＳ−ＰＤＳＣＨを受信し、サブフレーム＃１３〜１５においてすべてのセカンダリキャリアを監視し、サブフレーム＃１６〜１９においてすべてのキャリアを監視する。
【０１１８】
ＵＥは、非アクティビティ閾値の間、ＨＳ−ＳＣＣＨまたはＨＳ−ＰＤＳＣＨを受信しない場合、セカンダリセルまたはセカンダリセルのグループを自律的に非アクティブ化することができる。自律的な非アクティブ化のための非アクティビティタイマは、すべてのセカンダリキャリアに共通とすることができる。その場合、非アクティビティ閾値の間、セルのいずれにおいても、ＨＳ−ＳＣＣＨまたはＨＳ−ＰＤＳＣＨが受信されないならば、ＵＥは、セカンダリセル（セカンダリセルのすべてもしくはサブセット、または個別のセル）を自律的に非アクティブ化することができる。非アクティビティタイマは、セルのいずれかにおいてデータを受信したときに、再開することができる。
【０１１９】
あるいは、共通のＤＲＸ、または同様にＤＲＸとは独立の非アクティブ化プロセスは、
キャリア固有またはグループ固有（例えば帯域固有）のタイマを用いて機能することができる。ＵＥが、すべてのキャリアにおいて共通のＤＲＸ監視を使用する、ＤＲＸに入ると、またはＵＥが、ＤＲＸと係わりなく、非アクティブ化監視を構成もしくは開始すると、セル毎またはグループ毎に、非アクティビティタイマを監視することができる。セル固有のタイマは、与えられたセルにおいてデータが受信された場合に再開され、グループ固有のタイマは、グループに関連付けられたセルのいずれかにおいてデータが受信された場合に再開される。他のセルにおいて、または別のグループ内のセルにおいてデータが受信されて、すべてのセルにおいてＵＥを連続バースト受信状態にした場合であっても、セル固有のタイマまたはグループ固有のタイマは、そのセルまたはそのグループ（例えば帯域）のセルの１つにおいてデータが受信されるまで作動し続ける。
【０１２０】
すべてのセルに同じＤＲＸ監視が適用され、セカンダリキャリアのアクティブ化がデータ受信に依存する場合、アクティブ化されたセルのいずれかにおいてＨＳ−ＳＣＣＨまたはＨＳ−ＰＤＳＣＨが受信されると、すべての自律的に非アクティブ化されたセル（すなわち、命令によって明示的に非アクティブ化されなかったセル）は、データ受信を開始することができる。
【０１２１】
別の実施形態によれば、ＤＲＸ監視は、グループ毎に適用することができる。セルグループは、上で開示されたいずれかの実施形態に従って、定義することができる。ＨＳ−ＳＣＣＨ受信パターンは、グループ毎に定義され、ＵＥは、グループ内のすべてのセルにおいて、グループ固有のＨＳ−ＳＣＣＨ受信パターンに従ってＨＳ−ＳＣＣＨサブフレームを監視する。ＵＥは、最後のＩｎａｃｔｉｖｉｔｙ＿Ｔｈｒｅｓｈｏｌｄ＿ｆｏｒ＿ＵＥ＿ＤＲＸ＿ｃｙｃｌｅ（ｋ）サブフレームの間に、グループ内のキャリアのいずれかにおいて、ＨＳ−ＳＣＣＨ命令ではない、ＨＳ−ＳＣＣＨまたはＨＳ−ＰＤＳＣＨサブフレームを受信した場合、グループ内のすべてのキャリアにおいて同時にＤＬキャリアを受信することができ、ここで、ｋはグループインデックスである。ＤＬチャネルを監視するための他の条件を適用することもできる（上で定義された例外（１）〜（７））。
【０１２２】
セルの第ｋのグループのためのＨＳ−ＳＣＣＨ受信パターンは、ＨＳ−ＳＣＣＨ不連続受信無線フレーム番号ＣＦＮ＿ＤＲＸとサブフレーム番号Ｓ＿ＤＲＸが次式を成り立たせる、１組のサブフレームとして定義することができ、
（（５×ＣＦＮ＿ＤＲＸ−ＵＥ＿ＤＴＸ＿ＤＲＸ＿Ｏｆｆｓｅｔ（ｋ）＋Ｓ＿ＤＲＸ）  ＭＯＤ  ＵＥ＿ＤＲＸ  ｃｙｃｌｅ（ｋ））＝０
ここで、ｋは、キャリアのグループのインデックスであり（ｋ＝１，２，．．．，Ｋ）、Ｋは、セルのグループの総数である。ＵＥ＿ＤＴＸ＿ＤＲＸ＿Ｏｆｆｓｅｔ（ｋ）は、すべてのセルについて同じとすることができる。あるいは、同じＤＲＸパターンを、すべてのセルに適用することができる。
【０１２３】
セルの第ｋのグループについての、ＵＥ＿ＤＲＸ  ｃｙｃｌｅ（ｋ）、Ｉｎａｃｔｉｖｉｔｙ＿Ｔｈｒｅｓｈｏｌｄ＿ｆｏｒ＿ＵＥ＿ＤＲＸ＿ｃｙｃｌｅ（ｋ）、および／またはＵＥ＿ＤＴＸ＿ＤＲＸ  Ｏｆｆｓｅｔ（ｋ）は、不連続ＤＬ受信および不連続ＵＬ  ＤＰＣＣＨ送信のために、より高位のレイヤによって設定することができる。ＵＥ＿ＤＲＸ  ｃｙｃｌｅ（ｋ）は、セルの第ｋのグループについて、サブフレームにおけるＨＳ−ＳＣＣＨ受信パターン長を定義する。Ｉｎａｃｔｉｖｉｔｙ＿Ｔｈｒｅｓｈｏｌｄ＿ｆｏｒ＿ＵＥ＿ＤＲＸ＿ｃｙｃｌｅ（ｋ）は、ＨＳ−ＳＣＣＨ受信の後、またはＨＳ−ＰＤＳＣＨ受信の第１のスロットの後のサブフレームの数を定義し、その間、ＵＥは、Ｎ＿ａｃｋｎａｃｋ＿ｔｒａｎｓｍｉｔ＞１またはＩｎｔｅｒＴＴＩ＞１を例外として、セルの第ｋのグループについて、ＵＥのＨＳ−ＳＣＣＨセット内のＨＳ−ＳＣＣＨを継続的に監視することができる。ＵＥ＿ＤＴＸ＿ＤＲＸ  Ｏｆｆｓｅｔ（ｋ）は、セルの第ｋのグループについて、サブフレームにおけるアップリンクＤＰＣＣＨバーストパターンおよびＨＳ−ＳＣＣＨ受信パターンオフセットを定義する。
【０１２４】
図３は、セルの２つのグループを有するＤＬ構成についての例示的なグループ毎のＤＲＸ監視を示している。一例として、各グループは、帯域（帯域１および帯域２）内のすべてのセルを含むことができる。図３に示されるように、ＨＳ−ＳＣＣＨまたはＨＳ−ＰＤＳＣＨの受信は、同じ帯域（またはグループ）内のセル別に、ＤＬチャネルの監視を必要とする。この例では、ＵＥは、４つのセル（プライマリセルおよび３つのセカンダリセル）を用いるように構成され、セルは、２つのグループ（または帯域）に分類される。ＵＥは、グループ内のすべてのキャリアにおいて、グループ固有のＨＳ−ＳＣＣＨ受信パターンに基づいて決定されるサブフレームにおいてＨＳ−ＳＣＣＨを同時に監視する。ＵＥは、帯域１のサブフレーム＃１におけるＨＳ−ＳＣＣＨおよびＨＳ−ＰＤＳＣＨにおいてデータを受信し、帯域１のすべてのＤＬキャリアにおいて、Ｉｎａｃｔｉｖｉｔｙ＿Ｔｈｒｅｓｈｏｌｄ＿ｆｏｒ＿ＵＥ＿ＤＲＸ＿ｃｙｃｌｅサブフレーム（すなわち、サブフレーム２〜５）がないか、ＨＳ−ＳＣＣＨおよびＨＳ−ＰＤＳＣＨ、ならびに他のすべてのＤＬ物理チャネルを継続的に監視する。ＵＥは、帯域２のサブフレーム＃９におけるＨＳ−ＳＣＣＨおよびＨＳ−ＰＤＳＣＨにおいてデータを受信し、帯域２のすべてのＤＬキャリアにおいて、Ｉｎａｃｔｉｖｉｔｙ＿Ｔｈｒｅｓｈｏｌｄ＿ｆｏｒ＿ＵＥ＿ＤＲＸ＿ｃｙｃｌｅサブフレーム（すなわち、サブフレーム１０〜１３）がないか、ＨＳ−ＳＣＣＨおよびＨＳ−ＰＤＳＣＨ、ならびに他のすべてのＤＬ物理チャネルを継続的に監視する。ＵＥは、帯域１のサブフレーム＃１３〜１５においても、ＨＳ−ＳＣＣＨおよびＨＳ−ＰＤＳＣＨにおいてデータを受信し、帯域１のすべてのＤＬキャリアにおいて、Ｉｎａｃｔｉｖｉｔｙ＿Ｔｈｒｅｓｈｏｌｄ＿ｆｏｒ＿ＵＥ＿ＤＲＸ＿ｃｙｃｌｅサブフレーム（すなわち、サブフレーム１６〜１９）がないか、ＤＬ物理チャネルを継続的に監視する。
【０１２５】
自律的な非アクティブ化が実行され、グループ毎のＤＲＸ監視が適用され、セカンダリセルのアクティブ化がデータ受信に依存する場合、同じグループ内のアクティブ化されたセルのいずれか１つにおいて、ＨＳ−ＳＣＣＨまたはＨＳ−ＰＤＳＣＨが受信されたならば、ＵＥは、同じグループ内の自律的に非アクティブ化されたセルを再アクティブ化することができ、他のグループに属するセルは、非アクティブ化されたステータスを維持することができる。
【０１２６】
ＵＥは、ＨＳ−ＳＣＣＨまたはＨＳ−ＰＤＳＣＨが、グループに関連付けられた非アクティビティ閾値の間、グループ内のいずれのセルにおいても受信されない場合、グループ内のセカンダリキャリアを自律的に非アクティブ化することができる。自律的な非アクティブ化のための非アクティビティタイマは、グループ内のすべてのセカンダリセルに共通とすることができる。その場合、ＵＥは、ＨＳ−ＳＣＣＨまたはＨＳ−ＰＤＳＣＨが、非アクティビティ閾値の間、キャリアのいずれにおいても受信されないならば、セカンダリセルを自律的に非アクティブ化することができる。非アクティビティタイマは、グループ内のセルのいずれかにおいてデータを受信したときに、再開することができる。
【０１２７】
あるいは、非アクティビティタイマは、ＤＲＸに入ったグループ内において、セル固有とすることができる。この場合、グループの１つにおいて、ＵＥがＤＲＸに入ると、そのグループ内において、非アクティビティタイマがセル毎に再開されるが、他のセルにおいてデータが受信され、ＵＥを連続バースト受信状態にした場合であっても、セルのためのタイマは、そのセルにおいてデータが受信されない限り、作動し続け、データを受信した時点で、非アクティビティタイマが再開される。ＵＥがＤＲＸに入った後における、グループ毎の、セル固有の、および共通の非アクティブ化監視手順が説明されたが、それらは、非アクティブ化監視がＤＲＸとは独立に実行される場合にも同様に適用可能であることを理解されたい。
【０１２８】
別の実施形態によれば、ＤＲＸ監視は、セル毎に適用することができる。例えば、第ｋのＤＬセルについて、ＨＳ−ＳＣＣＨ受信パターンを定義することができ、その結果、ＵＥが、最後のＩｎａｃｔｉｖｉｔｙ＿Ｔｈｒｅｓｈｏｌｄ＿ｆｏｒ＿ＵＥ＿ＤＲＸ＿ｃｙｃｌｅ（ｋ）サブフレームの間に、第ｋのセルにおいて、ＨＳ−ＳＣＣＨ命令ではない、ＨＳ−ＳＣＣＨまたはＨＳ−ＰＤＳＣＨサブフレームを受信した場合、ＵＥは、第ｋのセルにおいて、ＨＳ−ＳＣＣＨ受信パターンでＨＳ−ＳＣＣＨサブフレームを監視し、ＤＬチャネルを受信する。ＤＬチャネルを監視するための他の条件を適用することもできる（上で定義された例外（１）〜（７））。
【０１２９】
第ｋのセルのためのＨＳ−ＳＣＣＨ受信パターンは、ＨＳ−ＳＣＣＨ不連続受信無線フレーム番号ＣＦＮ＿ＤＲＸとサブフレーム番号Ｓ＿ＤＲＸが次式を成り立たせる、１組のサブフレームとして定義することができる。
（（５×ＣＦＮ＿ＤＲＸ−ＵＥ＿ＤＴＸ＿ＤＲＸ＿Ｏｆｆｓｅｔ（ｋ）＋Ｓ＿ＤＲＸ）  ＭＯＤ  ＵＥ＿ＤＲＸ  ｃｙｃｌｅ（ｋ））＝０
あるいは、同じＤＲＸパターンを、すべてのＤＬキャリアに適用することができる。
【０１３０】
図４は、例示的なセル毎のＤＲＸ監視を示している。図４に示されるように、任意の与えられたセルにおけるＨＳ−ＳＣＣＨまたはＨＳ−ＰＤＳＣＨの受信は、別のキャリアがＤＬチャネルの受信を継続する原因とはならない。
【０１３１】
ＵＥは、セカンダリキャリアに関連付けられた非アクティビティ閾値の間、セカンダリセルにおいてＨＳ−ＳＣＣＨまたはＨＳ−ＰＤＳＣＨを受信しない場合、セカンダリセルを自律的に非アクティブ化することができる。自律的な非アクティブ化のための非アクティビティタイマは、すべてのセカンダリセルに共通とすることができる。非アクティビティタイマは、セカンダリキャリアにおいてデータを受信したときに、再開することができる。
【０１３２】
自律的な非アクティブ化が実行され、セル毎のＤＲＸ監視が適用され、セカンダリキャリアのアクティブ化がデータ受信に依存する場合、アクティブ化されたキャリアのいずれかにおいて、ＨＳ−ＳＣＣＨまたはＨＳ−ＰＤＳＣＨが受信されたならば、ＵＥは、ネットワークによって明示的に命令されるまで、非アクティブ化されたままであり続けることができる。あるいは、ＵＥは、上述したように、ある期間にわたってデータが継続的に受信される場合、１つまたは複数のキャリアを再アクティブ化することができる。
【０１３３】
上で述べたように、セカンダリセルの自律的な非アクティブ化（例えば、ＵＥは、ＤＲＸの開始時からの非アクティビティタイマが満了した後、セカンダリセルを非アクティブ化する）は、共通のＤＲＸ監視、グループ毎のＤＲＸ監視、またはセル毎のＤＲＸ監視を用いて機能することができる。ＵＥは、ＤＲＸに入ると、（共通して、グループ固有に、またはセル固有に）非アクティビティタイマの監視を開始し、非アクティビティタイマが満了すると、セカンダリセルを自律的に非アクティブ化することができる。
【０１３４】
マルチティア（ｍｕｌｔｉ−ｔｉｅｒ）ＤＲＸを、セルのすべてまたはサブセットに適用することができる。マルチティアＤＲＸを用いる場合、ＵＥは、複数のＤＲＸサイクル（例えば、２ティアＤＲＸの場合は、ＤＲＸサイクル１とＤＲＸサイクル２）を用いるように構成される。１つのＤＲＸサイクルは、別のＤＲＸサイクルの因数とすることができる。ＵＥは、本明細書で開示されたいずれかの実施形態に従って、例えば、共通のＤＲＸ監視に従って、ＤＲＸサイクル１に入ることができる。ＵＥ  ＤＲＸサイクル１の開始時に、ＵＥは、非アクティビティ閾値の間の監視を開始することができ、非アクティビティ閾値は、従来の非アクティビティ閾値（例えば、Ｉｎａｃｔｉｖｉｔｙ＿Ｔｈｒｅｓｈｏｌｄ＿ｆｏｒ＿ＵＥ＿ＤＲＸ＿ｃｙｃｌｅ）と同じとすることができ、新たに定義された値（例えば、Ｉｎａｃｔｉｖｉｔｙ＿Ｔｈｒｅｓｈｏｌｄ＿ｆｏｒ＿ＵＥ＿ＤＲＸ＿ｃｙｃｌｅ＿２）とすることができ、Ｉｎａｃｔｉｖｉｔｙ＿Ｔｈｒｅｓｈｏｌｄ＿ｆｏｒ＿ＵＥ＿ＤＲＸ＿ｃｙｃｌｅの倍数とすることができ、またはセル毎もしくはセルのグループ毎のｄｅａｃｔｉｖａｔｉｏｎ＿ｉｎａｃｔｉｖｉｔｙ＿ｔｈｒｅｓｈｏｌｄに対応することができる。
【０１３５】
ＵＥは、ＤＲＸサイクル１に入ると、ＤＲＸサイクル２のためのセル毎またはグループ毎の監視を開始することができる。例えば、ＵＥは、Ｉｎａｃｔｉｖｉｔｙ＿Ｔｈｒｅｓｈｏｌｄ＿ｆｏｒ＿ＵＥ＿ＤＲＸ＿ｃｙｃｌｅ＿２タイマまたはカウンタを開始することができる。Ｉｎａｃｔｉｖｉｔｙ＿Ｔｈｒｅｓｈｏｌｄ＿ｆｏｒ＿ＵＥ＿ＤＲＸ＿ｃｙｃｌｅ＿２サブフレームの間、ＨＳ−ＳＣＣＨまたはＨＳ−ＰＤＳＣＨがキャリア上で受信されない場合、ＵＥは、ＤＲＸサイクル２に入ることができる。時間Ｉｎａｃｔｉｖｉｔｙ＿Ｔｈｒｅｓｈｏｌｄ＿ｆｏｒ＿ＵＥ＿ＤＲＸ＿ｃｙｃｌｅ＿２が作動中に、ＵＥが他のセルにおいてデータを受信し、そのことがＵＥをすべてのセルにおいてバースト受信状態にした場合、ＵＥは、与えられたキャリアにおいてＨＳ−ＳＣＣＨを監視できる場合であっても、Ｉｎａｃｔｉｖｉｔｙ＿Ｔｈｒｅｓｈｏｌｄ＿ｆｏｒ＿ＵＥ＿ＤＲＸ＿ｃｙｃｌｅ＿２タイマ／カウンタを再開することはできない。あるいは、タイマまたはカウンタは、Ｉｎａｃｔｉｖｉｔｙ＿Ｔｈｒｅｓｈｏｌｄ＿ｆｏｒ＿ＵＥ＿ＤＲＸ＿ｃｙｃｌｅ＿２タイマが作動中に、与えられたキャリアにおいてデータが受信された場合に、再開することができる。
【０１３６】
ＵＥは、ＤＲＸサイクル２に入ると、ネットワークによって別途命令されない限り、ＤＲＸサイクル２に留まることができる。あるいは、そのキャリアにおいてデータが受信された場合、ＵＥは、連続受信を始め、ＤＲＸサイクル１に移行することができるが、Ｉｎａｃｔｉｖｉｔｙ＿Ｔｈｒｅｓｈｏｌｄ＿ｆｏｒ＿ＵＥ＿ＤＲＸ＿ｃｙｃｌｅサブフレームの間、ＨＳ−ＳＣＣＨまたはＨＳ−ＰＤＳＣＨを受信しないと、Ｉｎａｃｔｉｖｉｔｙ＿Ｔｈｒｅｓｈｏｌｄ＿ｆｏｒ＿ＵＥ＿ＤＲＸ＿ｃｙｃｌｅ＿２タイマ／カウンタを再び開始することができる。
【０１３７】
Ｉｎａｃｔｉｖｉｔｙ＿Ｔｈｒｅｓｈｏｌｄ＿ｆｏｒ＿ＵＥ＿ＤＲＸ＿ｃｙｃｌｅ＿２を含むＤＲＸサイクル２パラメータは、セル毎に、またはキャリアのグループ毎に設定することができる。これらのパラメータは、明示的に設定することができ、またはＤＲＸサイクル１パラメータの因数に対応することができる。無限大または特別の予約された値に設定されたＤＲＸサイクル２が、ＵＥの自律的な非アクティブ化に対応することができる場合。
【０１３８】
キャリアアクティブ化時のＤＲＸ制御および監視についての実施形態がこれ以降で開示される。セルは、上で開示されたいずれかの実施形態に従って、明示的なＨＳ−ＳＣＣＨ命令を通して、または自律的にアクティブ化することができる。セルをアクティブ化／非アクティブ化する場合、通常のネットワーク初期構成のように、ＤＲＸ制御／監視動作を初期化することができる。ＨＳ−ＳＣＣＨ命令または自律的な非アクティブ化によって停止されたＤＲＸ制御／監視動作は、再開することができる。あるいは、ＤＲＸ制御／監視動作は、明示的なＨＳ−ＳＣＣＨ命令または自律的な再アクティブ化によるセルアクティブ化の後、無効化することができる。ＤＲＸ動作を再開する場合、プライマリキャリア、すべてのアクティブセル、またはキャリアの同じグループ内の他のすべてのアクティブセルに現在適用されているのと同じＤＲＸステータスを適用することができる。例えば、共通の状態マシーンが使用される場合、セカンダリセルは、明示的なＨＳ−ＳＣＣＨ命令または自律的な再アクティブ化によるセルアクティブ化の後、プライマリセルＤＲＸ制御／監視と連携することができる。
【０１３９】
ＭＣ−ＨＳＰＡのためのＤＴＸに基づいたＦ−ＤＰＣＨの受信の制御についての実施形態がこれ以降で開示される。
【０１４０】
すべてのＵＬセルのために、単一のＵＬ＿ＤＴＸ＿Ａｃｔｉｖｅ状態変数を維持することができる。ＵＥは、以下で説明されるルールに基づいて、関連付けられた（対をなす）ＤＬセル、関連付けられたＤＬキャリアのグループ、またはすべてのＤＬキャリアについて、Ｆ−ＤＰＣＨを受信する必要があるかどうかを判定することができる。単一のＵＬ＿ＤＴＸ＿Ａｃｔｉｖｅ状態変数は、セル毎に、セルのグループ毎に、またはすべてのＵＬキャリアのために維持し、評価することができる。ＵＬ＿ＤＴＸ＿Ａｃｔｉｖｅは、ＵＥ＿ＤＴＸ＿ＤＲＸ＿ＥｎａｂｌｅｄがＴＲＵＥであり、不連続アップリンクＤＰＣＣＨ送信がアクティブ化されている間、ＴＲＵＥに設定される。それ以外の場合は、ＵＬ＿ＤＴＸ＿Ａｃｔｉｖｅは、ＦＡＬＳＥに設定される。ＵＥ＿ＤＴＸ＿ＤＲＸ＿Ｅｎａｂｌｅｄは、より高位のレイヤがＤＴＸ＿ＤＲＸ＿ＳＴＡＴＵＳをＴＲＵＥに設定し、Ｅｎａｂｌｉｎｇ＿Ｄｅｌａｙ無線フレームが渡された後に、ＴＲＵＥに設定される。それ以外の場合は、ＵＥ＿ＤＴＸ＿ＤＲＸ＿Ｅｎａｂｌｅｄは、ＦＡＬＳＥに設定される。不連続ＵＬ  ＤＰＣＣＨ送信は、ＵＥ＿ＤＴＸ＿ＤＲＸ＿ＥｎａｂｌｅｄがＴＲＵＥに設定されたときに、アクティブ化され、さらにレイヤ１  ＨＳ−ＳＣＣＨ命令によって非アクティブ化またはアクティブ化することができる。
【０１４１】
その後、以下のことを、個別に、セルのグループ毎に、またはすべてのＵＬセルにわたって実行することができる。ＵＬ＿ＤＴＸ＿ＡｃｔｉｖｅがＦＡＬＳＥである場合、ＵＥは、Ｆ−ＤＰＣＨを受信し続けることができる。ＵＬ＿ＤＴＸ＿ＡｃｔｉｖｅがＴＲＵＥである場合、ＵＥは、ＵＬ  ＤＰＣＣＨ送信ギャップ内に存在するＵＬ  ＤＰＣＣＨスロット中に開始したいずれのＤＬスロットにおいても、この期間中は送信電力制御（ＴＰＣ）コマンドを送信できないので、Ｆ−ＤＰＣＨを受信することはできない。
【０１４２】
電力節約を達成するため、ＴＰＣコマンドが受信されない期間中、ＵＥは、すべてのＦ−ＤＰＣＨ関連の手順を停止することができる。ＴＰＣコマンドが受信されたとき、ＵＥは、Ｆ−ＤＰＣＨ関連の手順を実行することができる。Ｆ−ＤＰＣＨ関連の手順は、以下のことを含むことができ、すなわち、ＵＥは、ＵＬ電力制御のためのＵＬ  ＴＰＣコマンドを組み合わせることができ、ＵＥは、Ｆ−ＤＰＣＨ送信が少なくとも１つのスロット内に存在することが分かっている各無線フレームについて、Ｆ−ＤＰＣＨの同期ステータスをチェックし、それをより高位のレイヤに報告することができ、またはＵＥは、信号対干渉比（ＳＩＲ）目標値調整において、ＵＬ  ＤＰＣＣＨ送信ギャップ内に存在するＵＬ  ＤＰＣＣＨスロット中に開始したＦ−ＤＰＣＨスロット内で受信されるいずれのＴＰＣコマンドも適用することができる。
【０１４３】
一般に、ＵＥ受信機は、無線周波数（ＲＦ）フロントエンドとベースバンドユニットの２つの部分に区分することができる。ＵＥの電力効率を最大化するため、ＵＥ受信機（ＲＦフロントエンドおよび／またはベースバンドユニット）は、オン／オフすることができる。
【０１４４】
ＨＳＰＡチャネルおよびＦ−ＤＰＣＨの受信のための受信機回路をオン／オフするため、ＵＥは、以下の基準のいずれかが満たされるかどうか（すなわち、関連付けられたキャリアについて対応するチャネルを受信することが必要かどうか）、キャリアの各グループを評価することができる。
【０１４５】
（１）基準１：すべての関連付けられたキャリアについてのＨＳＰＡチャネルの受信、
（２）基準２：すべての関連付けられたキャリアについてのＦ−ＤＰＣＨの受信、
（３）基準３：すべての関連付けられたキャリアについてのＤＬ送信のためのＨＳＰＡチャネルの受信、
（４）基準４：すべての関連付けられたキャリアについてのＵＬ送信のためのＨＳＰＡチャネルの受信、
（５）基準５：すべての関連付けられたキャリアについてのＤＬアクティビティのためのＨＳＰＡチャネルの受信、
（６）基準６：すべての関連付けられたキャリアについてのＵＬアクティビティのためのＨＳＰＡチャネルの受信。
【０１４６】
上述の基準はキャリアのグループ毎に定義されるが、上で定義された基準はすべて、そのグループが単一のキャリアを含む場合、または単一のグループがすべてのキャリアを含む場合にも適用できることに留意されたい。付加的な基準をＵＥ受信機アーキテクチャ設計および電力アイランド（ｐｏｗｅｒ  ｉｓｌａｎｄ）構成のために定義できることにも留意されたい。１つまたは複数の基準を使用して、基準セットを生成することができ、その基準セットは、基準セットに関連付けられたＤＬチャネルの受信を実施する、ＵＥの受信機回路および／または送信機回路のすべてまたは部分のオフ／オンを制御するためのものであることにも留意されたい。
【０１４７】
ＵＥ  ＲＦフロントエンドユニットのオン／オフについての実施形態が、グループ毎のＤＲＸ／ＤＴＸ制御基準に関して開示される。ＲＦフロントエンドユニットは、キャリアの複数のグループに属するキャリアに関連付けることができる。この場合、ＵＥは、キャリアの複数のグループに基づいて、ＲＦフロントエンドユニットをオン／オフすることができる。キャリアの複数のグループは、キャリアのすべての関連付けられたグループについてＵＥが基準１および基準２（キャリアのグループに関連付けられたＵＬキャリアが存在しない場合、基準２は必要とされない）を評価した後でオン／オフされる、同じＲＦフロントエンドユニットに関連付けられたキャリアのすべてのグループのことを指す。ＵＥは、キャリアのすべての関連付けられたグループにおいて同時にＤＬチャネルを受信する必要がない場合、ＵＥ  ＲＦフロントエンドユニットをオフすることができる。それ以外の場合、ＵＥは、ＵＥ  ＲＦフロントエンドユニットをオンする。例えば、単一のＲＦフロントエンドユニットがすべてのキャリアに関連付けられ、基準１および基準２に関して、ＵＥがすべてのキャリアにおいてＤＬチャネルを受信する必要がない場合、ＵＥは、ＲＦフロントエンドユニットをオフすることができる。それ以外の場合、ＲＦフロントエンドユニットはオンされる。
【０１４８】
ＲＦフロントエンドユニットは、キャリアの１つのグループに関連付けることができる。Ｋ個のＲＦフロントエンドユニットが、Ｋ個のキャリアグループに関連付けられていると仮定する。ＵＥは、キャリアのグループ毎に基準１および基準２（キャリアのグループに関連付けられたＵＬキャリアが存在しない場合、基準２は必要とされない）を評価した後、キャリアグループ毎にＫ個のＲＦフロントエンドユニットを独立にオン／オフする。ＵＥは、キャリアの第ｋのグループにおいてＤＬチャネルを受信する必要がない場合、キャリアの第ｋのグループに関連付けられた第ｋのＲＦフロントエンドユニットをオフにすることができる。それ以外の場合、第ｋのＲＦフロントエンドユニットは、オンにされる。そうすることによって、キャリアのＫ個のグループに対して、Ｋ個のＲＦフロントエンドユニットを異なる時間にオン／オフすることができる。各ＲＦフロントエンドユニットは、帯域内のいずれのキャリアのためにも設計することができ、ＤＲＸ／ＤＴＸグループは、帯域内のいずれのキャリアを用いても定義することができる。
【０１４９】
ＲＦフロントエンドユニットは、キャリアグループ内のキャリアのサブグループに関連付けることができる。Ｍ個のＲＦフロントエンドユニットが、同じグループ（キャリアの第ｋのグループ）に属する、キャリアのＭ個のサブグループに関連付けられていると仮定する。
【０１５０】
一実施形態によれば、ＵＥは、第ｋのグループ内のすべてのキャリアについて基準１および基準２を評価した後、キャリアグループ毎にＭ個のＲＦフロントエンドユニットを同時にオン／オフすることができる。ＵＥは、キャリアの第ｋのグループにおいてＤＬチャネルを受信する必要がない場合、キャリアの第ｋのグループに関連付けられたＭ個のＲＦフロントエンドユニットをオフにすることができる。Ｍ個のＲＦフロントエンドユニットを、キャリアのＭ個のサブグループにわたって同じ時間にオン／オフすることができる。
【０１５１】
あるいは、ＵＥは、サブキャリアグループ毎にＭ個のＲＦフロントエンドユニットを独立にオン／オフすることができる。ＵＥは、キャリアの与えられたサブグループにおいてＤＬチャネルを受信する必要がない場合、キャリアのそのサブグループに関連付けられたＲＦフロントエンドユニットをオフにすることができる。この方式を用いると、Ｍ個のＲＦフロントエンドユニットを、キャリアのＭ個のサブグループ毎に異なる時間にオン／オフすることができる。
【０１５２】
あるいは、ＲＦフロントエンドユニットとキャリアの間の関連付けに係わらず、ＲＦフロントエンドユニットを、ＤＲＸ／ＤＴＸ制御基準に係わらず、オンにすることができる。
【０１５３】
ベースバンド処理ユニットのオン／オフについての実施形態が開示される。
【０１５４】
ＵＥは、ＲＦフロントエンドユニットをオフにするとき、ＲＦフロントエンドユニットと同じキャリアに関連付けられたベースバンド処理ユニットもオフにすることができる。
【０１５５】
ＵＥは、ＲＦフロントエンドユニットをオンにするとき、基準セットに関して、ＲＦフロントエンドユニットと同じキャリアに関連付けられたベースバンド処理ユニットの全体または部分をオフにすることができる。基準セットは、上で定義された１つまたは複数の個々の基準からなる組である。各基準セットは、その基準セットに関連付けられた１つまたは複数のＤＬチャネルの受信を実施でき、独立にオン／オフできる、ベースバンド回路に対応する。基準セットは、ＤＲＸ／ＤＴＸ電力節約の観点から、ＵＥ受信機アーキテクチャ設計および電力アイランド構成のために使用することができる。
【０１５６】
グループ毎のＤＲＸ／ＤＴＸ制御基準セットが与えられた場合、与えられた基準セットに関連付けられたＵＥベースバンド回路は、与えられた基準セットに基づいてオン／オフすることができる。ベースバンド回路は、キャリアの複数のグループに属するキャリアに関連付けることができる。この場合、ＵＥは、キャリアのすべての関連付けられたグループについて与えられた基準セットを評価した後、キャリアの複数のグループ毎にベースバンド回路をオン／オフすることができる。キャリアの複数のグループは、オン／オフされる同じベースバンド回路に関連付けられたキャリアのすべてのグループのことを指す。ＵＥは、同じ時間にキャリアのすべての関連付けられたグループにおいてＤＬチャネルを受信する必要がない場合、与えられた基準セットに関連付けられた、ＤＬチャネルの受信用のベースバンド回路をオフにすることができる。
【０１５７】
ベースバンド回路は、キャリアグループのすべてのキャリアに関連付けることができる。与えられた基準セットについて、Ｋ個のベースバンド回路が、Ｋ個のキャリアグループに関連付けられていると仮定する。ＵＥは、キャリアのグループ毎に与えられた基準セットを評価した後、キャリアグループ毎にＫ個のベースバンド回路を独立にオン／オフすることができる。ＵＥは、キャリアの第ｋのグループにおいてＤＬチャネルを受信する必要がない場合、与えられた基準セットに関連付けられた、ＤＬチャネルの受信用の第ｋのベースバンド回路を独立にオフにすることができる。この方式を用いると、与えられた基準セットに関連付けられた、ＤＬチャネルの受信用のＫ個のベースバンド回路を、キャリアのＫ個のグループ毎に異なる時間にオン／オフすることができる。
【０１５８】
ベースバンド回路は、キャリアグループ内のキャリアのサブグループに関連付けることができる。Ｍ個のベースバンド回路が、キャリアの第ｋのグループに属する、キャリアのＭ個のサブグループに関連付けられていると仮定する。
【０１５９】
一実施形態によれば、ＵＥは、第ｋのグループ内のすべてのキャリアについて与えられた基準セットを評価した後、キャリアグループ毎にＭ個のベースバンド回路を同時にオン／オフすることができる。ＵＥは、キャリアの第ｋのグループにおいてＤＬチャネルを受信する必要がない場合、第ｋのグループ内のすべてのキャリアにわたって、与えられた基準セットに関連付けられた、ＤＬチャネルの受信用のＭ個のベースバンド回路をオフにすることができる。
【０１６０】
あるいは、ＵＥは、サブキャリアグループ毎にＭ個のベースバンド回路を独立にオン／オフすることができる。ＵＥは、キャリアの与えられたサブグループにおいてＤＬチャネルを受信する必要がない場合、サブグループ内のすべてのキャリアにわたって、与えられた基準セットに関連付けられた、ＤＬチャネルの受信用のＭ個のベースバンド回路をオフにすることができる。
【０１６１】
あるいは、ベースバンド回路とキャリアの間の関連付けに係わらず、ＤＲＸ／ＤＴＸ制御基準セットが与えられた場合、ベースバンド回路をオンにすることができる。
【０１６２】
特定のキャリアグループについて、すべてのＵＥベースバンド回路のオフ／オンを制御するため、Ｅ−ＨＩＣＨ、ＨＳ−ＳＣＣＨ、ＨＳ−ＰＤＳＣＨ、Ｅ−ＡＧＣＨ、Ｅ−ＲＧＣＨ、およびＦ−ＤＰＣＨを含むすべてのＤＬチャネルが、そのグループ内のいずれかのキャリアにおいて受信できる場合、すべてのＤＬチャネルの受信のために複数の基準セットを作成することができる。基準セットは、キャリアのグループ毎に個別に作成することができる。あるいは、基準セットは、キャリアのすべてのグループにわたって共通とすることができる。ベースバンド回路が同じ電力アイランドにあるキャリアのすべてのグループにわたって同じ基準セットを使用することができる。
【０１６３】
例えば、ＭＣ−ＨＳＰＡは、４つのＤＬキャリアを用いるように構成され、３つ（Ｆ１、Ｆ２、Ｆ３）は、グループ０（ＧＤＬ０）に属し、１つ（Ｆ４）は、グループ１（ＧＤＬ１）に属する。図５は、基準１および基準２を２つの基準セットとして、ＧＤＬ０とＧＤＬ１の両方に適用する（すなわち、基準１と基準２の両方を、キャリアの両方のグループに適用する）ことによって、ＵＥベースバンド処理ユニットを制御するための一例を示している。ＵＥ  ５００は、１つまたは複数のアンテナ５０２ａ、５０２ｂと、１つまたは複数のダイプレクサ５０４ａ、５０４ｂと、複数のＲＦフロントエンドユニット５０６ａ、５０６ｂと、複数のベースバンド処理ユニット５０８ａ、５０８ｂとを含むことができる。ＲＦフロントエンドユニット５０６ａ、５０６ｂは、ＲＦダウンコンバータ５１０ａ、５１０ｂと、フィルタ５１２ａ、５１２ｂと、アナログデジタルコンバータ（ＡＤＣ）５１４ａ、５１４ｂと、キャリア／アンテナセパレータ５１６ａ、５１６ｂなどを備えることができる。ベースバンド処理ユニット５０８ａ、５０８ｂは、ＨＳＰＡ関連チャネルおよびＦ−ＤＰＣＨを処理するための回路などを含む。この例では、ＵＥは、２つの帯域において４つのキャリア（Ｆ１、Ｆ２、Ｆ３、Ｆ４）を用いるように（帯域１においてＦ１〜Ｆ３、帯域２においてＦ４）、構成される。各キャリアの帯域幅は、５ＭＨｚまたは他の任意の帯域幅とすることができる。第１のＲＦフロントエンドユニット５０６ａと、第１のベースバンド処理ユニット５０８ａは、第１のグループ内のキャリア（Ｆ１、Ｆ２、Ｆ３）に対して処理を行い、第２のＲＦフロントエンドユニット５０６ｂと、第２のベースバンド処理ユニット５０８ｂは、第２のグループ内のキャリア（Ｆ４）に対して処理を行う。基準セット毎に、ＵＥ  ５００は、各グループに対応するベースバンド回路のオン／オフを独立に制御する。
【０１６４】
第１の基準セット（基準１）に関して、キャリアの第ｋのグループ（この例では、ｋ＝０または１）において、ＵＥがＦ−ＤＰＣＨ以外のＤＬチャネルを受信する必要がない場合、ＵＥ  ５００は、第ｋのグループ内のすべてのキャリアについて、Ｆ−ＤＰＣＨ以外のＤＬチャネルを受信するためのベースバンド回路をオフにすることができる。
【０１６５】
第２の基準セット（基準２）に関して、ＵＬ＿ＤＲＸ＿ＡｃｔｉｖｅがＴＲＵＥであり、ＵＬ  ＤＰＣＣＨ送信ギャップ内に存在するＵＬ  ＤＰＣＣＨスロット中に開始したいずれのＤＬスロットにおいてもＴＰＣコマンドが送信されない場合、ＵＥは、第ｋのグループ内のすべてのキャリアについて、Ｆ−ＤＰＣＨを受信するためのベースバンド回路をオフにすることができる。加えて、Ｆ−ＤＰＣＨの受信のための受信機回路をオフにする場合、ＵＥは、Ｆ−ＤＰＣＨに関連付けられたＵＬキャリアについて、対応する送信機回路をオフにすることができ、そのことが、ＵＥ電力節約をさらに最大化することができる。
【０１６６】
図５に示された実施は、一例として提供されたものであり、制御は、キャリアの任意の数のグループに適用できる任意の基準セットを用いて実行することができ、ＵＥは、ダイレクトコンバージョンアーキテクチャ（ｄｉｒｅｃｔ  ｃｏｎｖｅｒｓｉｏｎ  ａｒｃｈｉｔｅｃｔｕｒｅ）およびスーパヘテロダインアーキテクチャ（ｓｕｐｅｒ  ｈｅｔｅｒｏｄｙｎｅ  ａｒｃｈｉｔｅｃｔｕｒｅ）などを含むが、それらに限定されない、任意のアーキテクチャを利用できることに留意されたい。
【０１６７】
ＤＲＸおよび／またはＤＴＸのアクティブ化および非アクティブ化についての実施形態がこれ以降で開示される。以下の実施形態は、ＤＲＸおよび／またはＤＴＸをアクティブ化または非アクティブ化するために、１つまたは複数の命令（またはコマンド）をＵＥに送信するようにネットワークに要求する、任意の数のＤＬキャリアおよび／またはＵＬキャリアを用いるどのようなマルチキャリアシステムにも適用可能であることに留意されたい。「キャリア」と「セル」という用語は、交換可能に使用することができる。ＭＣ−ＨＳＤＰＡまたはＭＣ−ＨＳＵＰＡシステムでは、ＤＬキャリアおよびサービングＨＳ−ＤＳＣＨセルも、交換可能に使用できることが理解されよう。実施形態は、セルという意味で、１つまたは複数のセルが単一の周波数において動作できるＨＳＤＰＡマルチポイント送信動作において、ＤＲＸおよび／またはＤＴＸのアクティブ化および非アクティブ化に適用することができる。あるいは、実施形態は、周波数という意味でも、ＨＳＤＰＡマルチポイント送信システムにおいて、ＤＲＸおよび／またはＤＴＸのアクティブ化および非アクティブ化に適用することができ、すなわち、２つ以上のセルが、単一の周波数上で搬送される場合、ある周波数のＤＲＸ／ＤＴＸのアクティブ化／非アクティブ化のためのＨＳ−ＳＣＣＨ命令は、その周波数上のすべてのセルにおけるＤＲＸ／ＤＴＸを同時にアクティブ化／非アクティブ化することができる。
【０１６８】
一実施形態によれば、ノードＢは、ＤＲＸをアクティブ化または非アクティブ化するようにＵＥに明示的に指示することができる。アクティブ化または非アクティブ化は、すべてのＤＬキャリアに、ＤＬキャリアのグループに、または個別のＤＬキャリアに適用することができる。
【０１６９】
従来のシグナリング（すなわち、ＨＳ−ＳＣＣＨ命令）を使用して、すべてのＤＬキャリアに適用されるＤＲＸアクティブ化／非アクティブ化のための明示的な通知を伝えることができる。ＨＳ−ＳＣＣＨ命令は、３つの命令タイプビットと、３つの命令ビットとを含む。例えば、命令タイプが、ｘｏｄｔ，１、ｘｏｄｔ，２、ｘｏｄｔ，３＝「０００」であり、かつＤＲＸアクティブ化ビットが、ｘｄｒｘ，１＝「０」である場合、ＨＳ−ＳＣＣＨ命令は、ＤＲＸ非アクティブ化命令であり、ｘｄｒｘ，１＝「１」である場合、ＨＳ−ＳＣＣＨ命令は、ＤＲＸアクティブ化命令である。ＨＳ−ＳＣＣＨ命令で受信したコマンドは、対象とするキャリアグループのためのＤＲＸ動作を制御するために使用される、ＤＬ＿ＤＲＸ＿Ａｃｔｉｖａｔｅ変数に適用することができる。
【０１７０】
ＵＴＲＡＮは、以下の実施形態の１つまたは任意の組み合わせを使用することによって、上述したキャリアのグループのＤＲＸアクティブ化または非アクティブ化のための明示的な信号を同時に送信することができる。
【０１７１】
第１の実施形態によれば、ＤＲＸアクティブ化／非アクティブ化のためのＨＳ−ＳＣＣＨ命令の従来の命令ビットを用いて、ＤＲＸアクティブ化／非アクティブ化がキャリアのどのグループに適用されるかを示すために、ＨＳ−ＳＣＣＨ命令の新しい命令タイプを定義することができる。各命令タイプは、キャリアの１つの特定のグループにマッピングすることができる。３つの命令タイプビットは、最大で８つのキャリアグループにマッピングすることができる。グループは、命令タイプの数値表現によって表すことができる。例えば、命令タイプのｘｏｄｔ，１、ｘｏｄｔ，２、ｘｏｄｔ，３＝「０００」、「００１」、および「０１０」は、ＤＲＸアクティブ化／非アクティブ化命令が、それぞれ、グループ０、グループ１、およびグループ２内のキャリアに適用されることを表すことができる。すべてのＤＬキャリアを含むように、特別なグループ（例えば、グループ０）を定義することができ、その結果、命令タイプのｘｏｄｔ，１、ｘｏｄｔ，２、ｘｏｄｔ，３＝「０００」を用いて、Ｒ９  ＤＣ−ＨＳＵＰＡにおける従来のＤＲＸシグナリングを実行することができる。
【０１７２】
あるいは、新しい命令タイプは、各命令タイプをキャリアの特定の１つまたは複数のグループにマッピングできるように、定義することができる。そうすることによって、３つの命令タイプビットを有する１つの新しい命令タイプは、同時に３つのキャリアグループに対処することができ、命令タイプの対応するビットが１（または０）に等しい場合、キャリアのマッピングされたグループに、ＤＲＸアクティブ化／非アクティブ化命令を適用することができる（またはできない）。例えば、「１０１」に設定されたｘｏｄｔ，１、ｘｏｄｔ，２、ｘｏｄｔ，３は、ＤＲＸアクティブ化／非アクティブ化命令が、グループ０とグループ２を対象としたものであり、一方、グループ１については、現在のステータスを維持することを示すことができる。
【０１７３】
別の実施形態によれば、新しい命令タイプと、新しい命令ビットを定義することができる。新しい命令タイプビットは、命令ビットを使用して、キャリアの複数のグループのためのＤＲＸアクティブ化／非アクティブ化命令を同時に示すことができる。３つの命令ビットはすべて、ＤＲＸアクティブ化／非アクティブ化を指示するために使用することができ、ＤＴＸおよび／またはＨＳ−ＳＣＣＨ不使用の動作のアクティブ化／非アクティブ化のために使用することはできない。各２進命令ビットの値（０／１）は、キャリアの対象グループについての非アクティブ化／アクティブ化またはアクティブ化／非アクティブ化命令を示すことができる。この実施形態によれば、１つの命令タイプを用いて、キャリアの３つのグループについてのＤＲＸアクティブ化／非アクティブ化を指示することができる。例えば、新しい命令タイプビットのｘｏｄｔ，１、ｘｏｄｔ，２、ｘｏｄｔ，３＝「１００」は、ＨＳ−ＳＣＣＨ命令が、命令ビットによって決定されるキャリアの３つのグループに適用されるＤＲＸアクティブ化／非アクティブ化命令であることを示すことができる。例えば、命令ビットのｘｏｒｄ，１、ｘｏｒｄ，２、ｘｏｒｄ，３は、それぞれ、グループ０、グループ１、およびグループ２に対するＤＲＸアクティブ化／非アクティブ化命令を指示することができる。キャリアグループと命令ビットは、任意の構成可能な方法でマッピングできることを理解されたい。
【０１７４】
あるいは、リリース１０のために予約された命令（ｘｏｒｄ，１、ｘｏｒｄ，２、ｘｏｒｄ，３＝「１０Ｘ」、すなわち、ｘｄｒｘ，１、ｘｄｔｘ，１＝「１０」が予約された組み合わせ）を使用して、上述の第１の実施形態で説明されたいずれかの方法で、命令タイプビットによって決定できる、キャリアの複数のグループに適用されるＤＲＸアクティブ化／非アクティブ化を指示することができる。
【０１７５】
あるいは、ＤＲＸアクティブ化／非アクティブ化命令を指示するために、２つの新しい命令タイプを定義することができ、一方、命令ビットは、ＤＲＸアクティブ化／非アクティブ化命令がキャリアのどのグループに適用されるかを指示する。例えば、命令タイプが、ｘｏｄｔ，１、ｘｏｄｔ，２、ｘｏｄｔ，３＝「１１０」である場合、命令は、ｘｏｒｄ，１、ｘｏｒｄ，２、ｘｏｒｄ，３によって示されるインデックスを有するキャリアのグループについてのＤＲＸ非アクティブ化命令とすることができる。命令タイプが、ｘｏｄｔ，１、ｘｏｄｔ，２、ｘｏｄｔ，３＝「１１１」である場合、命令は、ｘｏｒｄ，１、ｘｏｒｄ，２、ｘｏｒｄ，３によって示されるインデックスを有するキャリアのグループについてのＤＲＸアクティブ化命令とすることができる。（ｘｏｒｄ，１、ｘｏｒｄ，２、ｘｏｒｄ，３によってインデックス付けされていない）他のキャリアに、命令によって影響を及ぼすことはできない。キャリアの１つの特定のグループは、３つの命令ビットの数値表現によって示すことができる。例えば、ｘｏｄｔ，１、ｘｏｄｔ，２、ｘｏｄｔ，３＝「１１１」であり、かつｘｏｒｄ，１、ｘｏｒｄ，２、ｘｏｒｄ，３＝「１０１」である場合、ＵＥは、グループ６についてのＤＲＸをアクティブ化することができる。あるいは、３つの命令ビットは、各命令ビットをキャリアのグループの１つにマッピングすることによって、キャリアの複数のグループを同時に示すことができる。例えば、３つの命令ビットｘｏｒｄ，１、ｘｏｒｄ，２、ｘｏｒｄ，３の各々は、それぞれ、グループ１、グループ２、およびグループ３にマッピングすることができ、ｘｏｄｔ，１、ｘｏｄｔ，２、ｘｏｄｔ，３＝「１１１」と、ｘｏｒｄ，１、ｘｏｒｄ，２、ｘｏｒｄ，３＝「１０１」を受信した場合、ＵＥは、グループ０およびグループ２についてのＤＲＸをアクティブ化することができる。
【０１７６】
あるいは、３ビットの命令タイプおよび３ビットの命令を含む６ビットのＨＳ−ＳＣＣＨ命令の一部を、キャリアの１つまたは複数のグループについてのＤＲＸアクティブ化／非アクティブ化命令として再定義または再解釈することができ、６ビットのＨＳ−ＳＣＣＨ命令の中の新たに定義されたコマンドの位置が、キャリアのどのグループかを示す。例えば、「００」は、ＤＲＸ非アクティブ化命令であり、「１１」は、ＤＲＸアクティブ化命令である。ＨＳ−ＳＣＣＨ命令（ｘｏｄｔ，１、ｘｏｄｔ，２、ｘｏｄｔ，３、ｘｏｒｄ，１、ｘｏｒｄ，２、ｘｏｒｄ，３）＝「００１１００」および「００００１１」は、それぞれ、ＧＤＬ２およびＧＤＬ１のＤＲＸとすることができる。ＨＳ−ＳＣＣＨ命令内の新たに定義されたＤＲＸコマンドの位置とキャリアのグループの間のマッピングが、異なる形式も取り得ることは理解されよう。さらに、新たに定義されたＤＲＸアクティブ化／非アクティブ化コマンドのパターンが、異なる形式を取り得ることも理解されよう。
【０１７７】
あるいは、すべてのキャリアグループについてのＤＲＸの同時アクティブ化／非アクティブ化のために、単一のＨＳ−ＳＣＣＨ命令を使用することができ、すなわち、単一のＨＳ−ＳＣＣＨ命令は、すべての構成されたＤＬキャリアのいずれについてのＤＲＸアクティブ化および／または非アクティブ化も同時に指示することができる。命令タイプと命令ビットを組み合わせることによって表される各ＨＳ−ＳＣＣＨ命令は、すべての構成されたＤＬキャリアについての１つの状態を示すことができ、命令と状態の間のマッピングは、事前定義することができ、またはルックアップテーブルにおいて任意の順序で指定することができる。
【０１７８】
別の実施形態によれば、ＨＳ−ＳＣＣＨ番号を使用して、ＨＳ−ＳＣＣＨ命令が適用されるキャリアの１つまたは複数のグループを暗黙的に指示することができる。例えば、キャリアの３つのグループ（ＧＤＬ１、ＧＤＬ２、ＧＤＬ３）が構成される場合、（ＨＳ−ＳＣＣＨ番号）  ｍｏｄ  ２＝０であれば、ＨＳ−ＳＣＣＨ命令は、ＧＤＬ１についてのものとすることができ、（ＨＳ−ＳＣＣＨ番号）  ｍｏｄ  ２＝１であれば、ＨＳ−ＳＣＣＨ命令は、ＧＤＬ２およびＧＤＬ３についてのものとすることができる。上述の例は、ＨＳ−ＳＣＣＨ番号と１つまたは複数のキャリアグループの他の任意のマッピングに拡張することができ、またＨＳ−ＳＣＣＨ番号を使用して、ＨＳ−ＳＣＣＨ命令が適用される任意の数のグループまたは帯域を指示することができる（例えば、一般に、「（ＨＳ−ＳＣＣＨ番号）  ｍｏｄ  ｎ」を使用して、ｎ個のグループまたは帯域を制御することができる）ことに留意されたい。
【０１７９】
別の実施形態によれば、ＤＲＸ非アクティブ化の対象となるキャリアの１つまたは複数のグループは、ＨＳ−ＳＣＣＨ命令が受信されたキャリア（またはそのキャリアが属するグループ）に基づいて、暗黙的に決定することができる。例えば、ＵＥは、ＵＥがＤＲＸ非アクティブ化命令を対応するグループのキャリアの１つまたは複数において受信したキャリアのグループにおいて、ＤＲＸを非アクティブ化することができる。ＤＲＸアクティブ化命令は、他のアクティブなグループのいずれのキャリアにおいても送信することができる。
【０１８０】
キャリアのグループのＤＲＸアクティブ化／非アクティブ化についての上で開示された実施形態は、単一のキャリアを含むグループのＤＲＸアクティブ化／非アクティブ化に適用することができる。上で開示されたいずれかの実施形態によるＨＳ−ＳＣＣＨ命令を介したＤＲＸアクティブ化／非アクティブ化命令は、対象とするキャリアグループについてのＤＲＸ動作を制御するために使用されるＤＬ＿ＤＲＸ＿Ａｃｔｉｖａｔｅ変数の設定に適用することができる。
【０１８１】
別の実施形態によれば、すべてのＤＬキャリアの、キャリアの複数のグループの、および／または複数の個別キャリアのＤＲＸアクティブ化／非アクティブ化を明示的に指示するために、複数のＨＳ−ＳＣＣＨ命令を伝えることができる。ＨＳ−ＳＣＣＨ命令はいずれのキャリアにおいても送信することができるので、複数のサービングセルは、複数のＨＳ−ＳＣＣＨ命令を伝えることができる。異なるＨＳ−ＳＣＣＨ命令は、上で開示されたいずれかの実施形態に従って、異なる命令タイプおよび／または異なる命令を有することができる。
【０１８２】
複数のＨＳ−ＳＣＣＨ命令が同じキャリアを扱うことができる場合、ＤＲＸアクティブ化および非アクティブ化命令は、衝突することがある。そうした状況では、ＵＥは、すべてのキャリアに適用される命令に従い、残りを無視することができる。あるいは、ＵＥは、与えられたキャリアを含むキャリアのグループに適用される命令に従い、残りを無視することができる。あるいは、ＵＥは、個別のキャリアに適用される命令に従うことができる。あるいは、ＵＥは、多数決ルールを使用することによって、ＨＳ−ＳＣＣＨ命令を組み合わせることができる。あるいは、ＵＥは、それらのすべてを無視し、現在の構成を維持することができる。
【０１８３】
ＵＴＲＡＮは、ＤＴＸのアクティブ化または非アクティブ化をＵＥに明示的に指示することができる。アクティブ化または非アクティブ化命令は、すべてのＵＬキャリアに、ＵＬキャリアのグループに、および個別にＵＬキャリア毎に適用することができる。ＤＲＸをＤＴＸで置き換え、それが適用される場合は、ｘｏｒｄ，２＝ｘｄｔｘ，１と設定することによって、ＤＲＸアクティブ化／非アクティブ化についての上で開示されたいずれの実施形態も、ＤＴＸアクティブ化／非アクティブ化に適用することができる。ＨＳ−ＳＣＣＨ命令で受信したＤＴＸアクティブ化／非アクティブ化命令は、ＭＣ−ＨＳＰＡのためのＤＴＸに基づいたＦ−ＤＰＣＨの受信を制御するために使用される、ＵＬ＿ＤＴＸ＿Ａｃｔｉｖｅ変数に適用することができる。
【０１８４】
ノードＢは、ＭＣ−ＨＳＰＡシステムにおいて、関連付けられたＤＬキャリアとＵＬキャリアのペアについてのＤＲＸおよびＤＴＸを合同でアクティブ化または非アクティブ化するようにＵＥに指示することができる。この合同アクティブ化または非アクティブ化命令は、すべての関連付けられたＤＬキャリアとＵＬキャリアに、関連付けられたＤＬキャリアとＵＬキャリアのグループに、または関連付けられたＤＬキャリアとＵＬキャリアのペア毎に個別に適用することができる。
【０１８５】
関連付けられたＤＬキャリアとＵＬキャリア（またはすべてのキャリアのグループ）についてのＤＲＸおよびＤＴＸの合同アクティブ化および非アクティブ化を明示的に伝えるため、上で開示された実施形態のいずれかを、２ビット（ＤＲＸ、ＤＴＸ）命令（ｘｄｒｘ，１、ｘｄｔｘ，１）に対して使用することができる。ＤＬキャリアとＵＬキャリアの間の関連付けは、事前定義すること、またはより高位のレイヤ（例えば、ＲＲＣメッセージ）によって伝えるまたは指示することができる。関連付けは、ペアをなすＤＬ無線周波数とＵＬ無線周波数に関することができ、またはＵＬキャリアは、関連付けられたＤＬキャリアに関連する（ＨＡＲＱ  ＡＣＫ／ＮＡＣＫおよびＣＱＩなどの）情報を搬送し、もしくはＤＬキャリアは、関連付けられたＵＬキャリアの送信のために使用される関連情報を搬送する。例えば、「１１」は、ＵＥにおけるＤＲＸおよびＤＴＸの両方のアクティブ化を示すことができ、「０１」は、ＵＥにおけるＤＲＸの非アクティブ化およびＤＴＸのアクティブ化を示すことができ、「００」は、ＵＥにおけるＤＲＸおよびＤＴＸの両方の非アクティブ化を示すことができる。命令ビットの「１０Ｘ」は、関連付けられたＵＬキャリアとＤＬキャリアのペアについての反対の組み合わせとすることができる。ＨＳ−ＳＣＣＨ命令で受信された合同ＤＲＸ／ＤＴＸアクティブ化／非アクティブ化命令は、ＤＬ＿ＤＲＸ＿Ａｃｔｉｖａｔｅ変数およびＵＬ＿ＤＴＸ＿Ａｃｔｉｖｅ変数に適用することができる。
【０１８６】
８キャリアＨＳＤＰＡ（８Ｃ−ＨＳＤＰＡ）についてのセカンダリサービングＨＳ−ＤＳＣＨセルおよびセカンダリアップリンク周波数のアクティブ化および非アクティブ化についての実施形態がこれ以降で開示される。実施形態は、８キャリアよりも多いケースまたは少ないケースに拡張することができる。（８ＤＬ＋１ＵＬ）、（８ＤＬ＋２ＵＬ）、（８ＤＬ＋３ＵＬ）、および（８ＤＬ＋４ＵＬ）など、８つのＤＬキャリアと、最大４つのＵＬキャリアを用いる場合、ＤＬキャリアとＵＬキャリアのアクティブ化／非アクティブ化ステータスの総数、およびアクティブ化／非アクティブ化状態を表すのに必要とされるビットの数が、表２に列挙されている。
【０１８７】
【表２】
2013516927.tif 000004
【０１８８】
表２に示されるように、８Ｃ−ＨＳＤＰＡ構成を表すのに必要とされるビットの数は、少なくとも７ビットである。しかし、従来のＨＳ−ＳＣＣＨ命令は、３ビットの命令タイプ（ｘｏｄｔ，１、ｘｏｄｔ，２、ｘｏｄｔ，３）と、３ビットの命令（ｘｏｒｄ，１、ｘｏｒｄ，２、ｘｏｒｄ，３）とを含む、６ビットを含むにすぎず、これは、すべての８Ｃ−ＨＳＤＰＡ構成を表すのに十分ではない。以下で開示される実施形態は、この問題に対処する。以下の実施形態は、異なるＵＬキャリア構成を有する８Ｃ−ＨＳＤＰＡに関連して説明されるが、実施形態は、セカンダリＤＬセルおよび／または１つもしくは複数のセカンダリＵＬ周波数をアクティブ化／非アクティブ化するために、１つまたは複数の命令（またはコマンド）をＵＥに送信するようにネットワークに要求する、任意の数のＤＬキャリアおよび／またはＵＬキャリアを有するマルチキャリアシステムに適用できることに留意されたい。「キャリア」と「周波数」という用語は、交換可能に使用することができる。この場合、マルチセルは、マルチキャリアのことを指すことができ、セカンダリセルとセカンダリキャリアは、交換可能に使用することができる。セカンダリＤＬキャリアとセカンダリサービングＨＳ−ＤＳＣＨセルは、ＭＣ−ＨＳＤＰＡまたはＭＣ−ＨＳＵＰＡシステムでは、交換可能に使用できることを理解されたい。実施形態は、１つまたは複数のセルが単一の周波数上で動作する、ＨＳＤＰＡマルチポイント送信動作における、セカンダリセルのアクティブ化／非アクティブ化にも適用することができる。あるいは、実施形態は、ＨＳＤＰＡマルチポイント送信システムにおける、セカンダリ周波数のアクティブ化／非アクティブ化にも適用することができ、すなわち、単一の周波数上で２つ以上のセルが搬送される場合、セカンダリ周波数のアクティブ化／非アクティブ化のためのＨＳ−ＳＣＣＨ命令は、その周波数におけるすべてのセルをアクティブ化／非アクティブ化することができる。
【０１８９】
一実施形態によれば、単一の条件付き（ｃｏｎｄｉｔｉｏｎｉｎｇ）ＨＳ−ＳＣＣＨ命令を使用して、８Ｃ−ＨＳＤＰＡのためにアクティブ化／非アクティブ化することが可能なセカンダリＵＬ周波数およびセカンダリサービングＨＳ−ＤＳＣＨセルのいずれか一方をアクティブ化および／または非アクティブ化することができる。アクティブ化または非アクティブ化できるセカンダリキャリアは、事前定義すること、指定すること、またはＲＲＣメッセージなどの高位レイヤメッセージによって伝えることができる。例えば、非アクティブ化できないＨＳ−ＤＳＣＨサービングセルおよびＥ−ＤＣＨサービングセルに加えて、セカンダリセルの１つまたは複数も、構成することができるが、ＨＳ−ＳＣＣＨ命令を介して非アクティブ化することはできない。この条件を用いると、その結果のキャリアのアクティブ化／非アクティブ化ステータスの総数、したがって、必要とされるビットの数が減少する。命令タイプのｘｏｄｔ，１、ｘｏｄｔ，２、ｘｏｄｔ，３＝「０００」は、ＤＴＸ、ＤＲＸ、およびＨＳ−ＳＣＣＨ不使用の動作のアクティブ化および非アクティブ化のために、ならびにＨＳ−ＤＳＣＨサービングセル変更のために、現在使用されている。ＨＳ−ＳＣＣＨ命令の命令タイプと命令ビットの残りの組み合わせは、ＨＳ−ＳＣＣＨ命令を介してアクティブ化および非アクティブ化することが可能なセカンダリサービングＨＳ−ＤＳＣＨセルおよびセカンダリアップリンク周波数のアクティブ化および非アクティブ化を指示するために使用することができる。この実施形態を用いると、単一の条件付きＨＳ−ＳＣＣＨ命令を使用して、アクティブ化および非アクティブ化することが可能なセカンダリサービングＨＳ−ＤＳＣＨセルおよびセカンダリアップリンク周波数を同時にアクティブ化および非アクティブ化することができる。
【０１９０】
表３は、ＨＳ−ＤＳＣＨサービングセル（すなわち、プライマリＤＬキャリア）と、Ｅ−ＤＣＨサービングセル（すなわち、プライマリＵＬキャリア）と、第１および第２のセカンダリサービングＨＳ−ＤＳＣＨセル（すなわち、第１および第２のセカンダリＤＬキャリア）が非アクティブ化されないことを仮定する、単一のＵＬキャリアを用いる８Ｃ−ＨＳＤＰＡの場合の、セカンダリサービングＨＳ−ＤＳＣＨセルのアクティブ化および非アクティブ化のための例示的な命令タイプおよび命令マッピングを示している。表３は、ＨＳ−ＤＳＣＨサービングセルと、第１および第２のセカンダリサービングＨＳ−ＤＳＣＨセルと、プライマリおよびセカンダリＥ−ＤＣＨサービングセルが非アクティブ化されないことを仮定する、デュアルＵＬキャリア動作を用いる８Ｃ−ＨＳＤＰＡ（ＤＣ−ＨＳＵＰＡ）における、５つのセカンダリＤＬキャリアのアクティブ化／非アクティブ化のために使用することができる。表３は一例として提供されるものであり、命令（指令）ビットとセカンダリサービングＨＳ−ＤＳＣＨセルのアクティブ化ステータスの組み合わせとの間のマッピングは、任意の構成可能な方法で構成できることに留意されたい。
【０１９１】
【表３】
2013516927.tif 000005
【０１９２】
単一の条件付きＨＳ−ＳＣＣＨ命令を使用して、８Ｃ−ＨＳＤＰＡのためのセカンダリＵＬ周波数およびセカンダリサービングＨＳ−ＤＳＣＨセルをアクティブ化および／または非アクティブ化する別の例示的な実施では、セカンダリキャリアは、２つの組にグループ化することができる。上述の例では、第１の組は、３つのセカンダリサービングＨＳ−ＤＳＣＨセルを含むことができ、第２の組は、４つのセカンダリサービングＨＳ−ＤＳＣＨセルを含むことができる。第１の組のセカンダリサービングＨＳ−ＤＳＣＨセルは、いかなる制約もなしに独立にアクティブ化／非アクティブ化することができ、第２の組のセカンダリサービングＨＳ−ＤＳＣＨセルは、第１の組のセカンダリサービングＨＳ−ＤＳＣＨセルのアクティブ化ステータスに基づいて、アクティブ化／非アクティブ化することができる。第１の組のすべてのセカンダリサービングＨＳ−ＤＳＣＨセルがアクティブ化される場合、第２の組のすべてのセカンダリサービングＨＳ−ＤＳＣＨセルは、無条件にアクティブ化／非アクティブ化することが可能とすることができる。第１の組のセカンダリサービングＨＳ−ＤＳＣＨセルの１つが非アクティブ化される場合、第２の組の３つのセカンダリサービングＨＳ−ＤＳＣＨセルは、無条件にアクティブ化／非アクティブ化することができ、第２の組の他のセカンダリサービングＨＳ−ＤＳＣＨセルは、アクティブ化を可能にすることはできない。第１の組のセカンダリサービングＨＳ−ＤＳＣＨセルの２つが非アクティブ化される場合、第２の組の２つのセカンダリサービングＨＳ−ＤＳＣＨセルは、無条件にアクティブ化／非アクティブ化することができ、第２の組の他の２つのセカンダリサービングＨＳ−ＤＳＣＨセルは、アクティブ化を可能にすることはできない。第１の組のセカンダリサービングＨＳ−ＤＳＣＨセルの３つがすべて非アクティブ化される場合、第２の組の１つのセカンダリサービングＨＳ−ＤＳＣＨセルは、無条件にアクティブ化／非アクティブ化することができ、第２の組の他の３つのセカンダリサービングＨＳ−ＤＳＣＨセルは、アクティブ化を可能にすることはできない。この例示的な実施は、セカンダリサービングＨＳ−ＤＳＣＨセルの第１の組にアクティブ化優先権を与えている。
【０１９３】
表４は、この実施形態に従って、アクティブ化優先権がセカンダリサービングＨＳ−ＤＳＣＨセルの第１の組に与えられた、８Ｃ−ＨＳＤＰＡ＋１ＵＬにおける、キャリアの２つの組についてのアクティブ化／非アクティブ化のための例示的なＨＳ−ＳＣＣＨ命令を示している。表４は一例として提供されるものであり、命令ビットとセカンダリサービングＨＳ−ＤＳＣＨセルのアクティブ化ステータスの組み合わせとの間のマッピングは、任意の構成可能な方法で構成できることに留意されたい。
【０１９４】
【表４−１】
2013516927.tif 000006
【０１９５】
【表４−２】
2013516927.tif 000007
【０１９６】
表５には、８Ｃ−ＨＳＤＰＡ＋１ＵＬにおいて、命令ビットをアクティブ化および非アクティブ化についての有効な命令状態に割り当てた一例が示されている。表５は一例として提供されるものであり、マッピングは任意の構成可能な方法で構成できることに留意されたい。
【０１９７】
【表５−１】
2013516927.tif 000008
【０１９８】
【表５−２】
2013516927.tif 000009
【０１９９】
リリース１０  ４Ｃ−ＨＳＤＰＡとのバックワード互換性を維持するため、ＤＣ−ＨＳＵＰＡ動作を用いる８Ｃ−ＨＳＤＰＡの場合、新しい命令タイプを導入することによって、Ｒ１０  ４Ｃ−ＨＳＤＰＡ動作においてアクティブ化／非アクティブ化できるセカンダリサービングＨＳ−ＤＳＣＨセルに加えて、新しいセカンダリサービングＨＳ−ＤＳＣＨセルをアクティブ化／非アクティブ化することができる。この実施は、８Ｃ−ＨＳＤＰＡでは、第３のセカンダリサービングＨＳ−ＤＳＣＨセルを超える他のセカンダリサービングＨＳ−ＤＳＣＨセルは非アクティブ化できないという仮定に基づいている。アクティブ化／非アクティブ化される新しいセカンダリサービングＨＳ−ＤＳＣＨセルは、事前定義すること、または高位レイヤメッセージによって伝えることができる。この実施形態は、新しいセカンダリサービングＨＳ−ＤＳＣＨセルが、１つの帯域において構成されるＨＳ−ＤＳＣＨセルである場合に、またはそれらのスペクトルを２つ以上のモバイル通信業者が共用しているとき、他のモバイル通信業者に属するＨＳ−ＤＳＣＨセルである場合に使用することができる。
【０２００】
別の実施形態によれば、セカンダリサービングＨＳ−ＤＳＣＨセルのいくつかは、グループとしてアクティブ化／非アクティブ化することができる。ＭＣ−ＨＳＤＰＡ動作の場合、５つ以上のＤＬキャリアが構成されるならば、Ｒ１０  ４Ｃ−ＨＳＤＰＡとのバックワード互換性を維持するため、最初の３つのセカンダリＤＬサービングＨＳ−ＤＳＣＨセルおよび最初のセカンダリＵＬ周波数のアクティブ化／非アクティブ化は、４Ｃ−ＨＳＤＰＡのために定義されたように、ＨＳ−ＳＣＣＨ命令によってアクティブ化することができ、最初の３つのセカンダリサービングＨＳ−ＤＳＣＨセルを超えるセカンダリサービングＨＳ−ＤＳＣＨセルのアクティブ化／非アクティブ化は、グループ（１つまたは複数のグループ）として実行することができる。
【０２０１】
最初の３つのセカンダリサービングＨＳ−ＤＳＣＨセルを超えるすべての構成されたセカンダリキャリアは、グループとしてアクティブ化／非アクティブ化することができる。例えば、８Ｃ−ＨＳＤＰＡでは、第４から第７のセカンダリサービングＨＳ−ＤＳＣＨセルからなるセカンダリサービングＨＳ−ＤＳＣＨセルのグループを、グループとして同時にアクティブ化／非アクティブ化することができる。表６は、Ｒ１０  ４Ｃ−ＨＳＤＰＡおよびＤＣ−ＨＳＵＰＡとのバックワード互換性を維持しながら、この実施形態に従った、例示的な実施を示しているが、表６は一例として提供されるものであり、コマンドとビットのマッピングは任意の構成可能な方法で構成できることに留意されたい。
【０２０２】
【表６】
2013516927.tif 000010
【０２０３】
あるいは、最初の３つのセカンダリサービングＨＳ−ＤＳＣＨセルを超えるすべての構成されたセカンダリサービングＨＳ−ＤＳＣＨセルは、表６の命令（指令）タイプよりも多くの命令タイプを導入することによって、いくつかのグループとしてアクティブ化／非アクティブ化することができる。例えば、新しい命令タイプの１つまたは複数は、ｘｏｄｔ，１、ｘｏｄｔ，２、ｘｏｄｔ，３＝「１００」、「１０１」、「１１０」、または「１１１」となるように導入することができる。サービングＨＳ−ＤＳＣＨセルグループは、上で開示されたいずれかの実施形態に従って定義することができる。
【０２０４】
あるいは、指定されたグループ内の個別のセカンダリキャリアはさらに、別個のメッセージ（例えば、新しいＨＳ−ＳＣＣＨ命令）を使用して、アクティブ化／非アクティブ化することができる。この目的で、１つまたは複数の新しい命令タイプを定義することができる。その場合、グループ内の各キャリアは、命令ビットによって個別にアクティブ化／非アクティブ化される。例えば、表７に示されるように、２つの命令タイプを使用して、表６の最終列によって制御されるセカンダリサービングＨＳ−ＤＳＣＨセルのグループの、個別のセカンダリサービングＨＳ−ＤＳＣＨセルのアクティブ化／非アクティブ化状態を示すことができる。表７は一例として提供されるものであり、キャリア構成のコマンドとビットのマッピング組み合わせは任意の構成可能な方法で定義できることを理解されたい。各コマンドのために定義されるセカンダリサービングＨＳ−ＤＳＣＨセル構成の実際の組み合わせは、表７とは異なる形式を取り得ることを理解されたい。
【０２０５】
【表７】
2013516927.tif 000011
【０２０６】
（例えば、表６の最終列によって示されるような）グループアクティブ化（または非アクティブ化）命令を受信したとき、ＵＥは、（構成されたように）そのグループに属するすべてのセカンダリサービングＨＳ−ＤＳＣＨセルをアクティブ化（または非アクティブ化）することができる。ＵＥは、（例えば、表７のエントリによって提供されるように）グループ内の個別のセカンダリサービングＨＳ−ＤＳＣＨセルのためのアクティブ化／非アクティブ化命令をさらに受信することができる。その後、ＵＥは、関連するセカンダリサービングＨＳ−ＤＳＣＨセルに、適切なアクティブ化／非アクティブ化を適用する。
【０２０７】
ＵＥが、グループ内の対象セカンダリサービングＨＳ−ＤＳＣＨセルについて、衝突するグループ命令と個別命令とを同時に受信した（すなわち、同じサブフレームの間に、同じＨＳ−ＤＳＣＨセルのアクティブ化および非アクティブ化のための命令を受信した）場合、ＵＥは、グループ命令（例えば、表６の命令）に従って、そのグループ内の対象キャリアをアクティブ化／非アクティブ化することができる。あるいは、ＵＥは、個別命令（例えば、表７の命令）に従って、そのグループ内の対象キャリアをアクティブ化／非アクティブ化することができる。あるいは、ＵＥは、衝突する命令を無視することによって、そのグループ内の対象キャリアのアクティブ化ステータスを変更しなくてもよい。あるいは、ＵＥ挙動を指定しなくてもよい。
【０２０８】
グループ非アクティブ化命令を受信したとき、ＵＥは、グループ内のすべてのセカンダリサービングＨＳ−ＤＳＣＨセルを非アクティブ化することができる。グループアクティブ化のとき、ＵＥは、グループ内のセカンダリサービングＨＳ−ＤＳＣＨセルのアクティブ化／非アクティブ化ステータスを、グループ非アクティブ化命令を受信する前に回復することができる。先のグループアクティブ化命令に続いて、別のグループアクティブ化命令を受信すると（すなわち、グループ非アクティブ化命令が間に存在しない２つの連続するグループアクティブ化命令）、ＵＥは、グループ非アクティブ化命令の受信前のアクティブ化／非アクティブ化ステータスに係わらず、グループ内のすべてのセカンダリサービングＨＳ−ＤＳＣＨセルをアクティブ化することができる。
【０２０９】
あるいは、リリース１０  ４Ｃ−ＨＳＤＰＡ＋ＤＣ−ＨＳＵＰＡとのバックワード互換性を維持しながら、８Ｃ−ＨＳＤＰＡにおいて、すべてのセカンダリサービングＨＳ−ＤＳＣＨセルおよびセカンダリアップリンク周波数を明示的にアクティブ化／非アクティブ化するために、２つの独立したＨＳ−ＳＣＣＨ命令を同時に伝えることができる。表８は、８Ｃ−ＨＳＤＰＡ＋ＤＣ−ＨＳＵＰＡにおいて、セカンダリサービングＨＳ−ＤＳＣＨセルおよびセカンダリアップリンク周波数のアクティブ化／非アクティブ化のためのＨＳ−ＳＣＣＨ命令を伝える、例示的な実施を示している。
【０２１０】
この例では、４Ｃ−ＨＳＤＰＡのための従来の命令タイプ（ｘｏｄｔ，１、ｘｏｄｔ，２、ｘｏｄｔ，３＝「００１」および「０１０」）に加えて、４つの追加的なセカンダリＤＬキャリア（第４から第７のセカンダリサービングＨＳ−ＤＳＣＨセル）のアクティブ化／非アクティブ化状態を指示するために、さらに２つの新しい命令タイプ（すなわち、ｘｏｄｔ，１、ｘｏｄｔ，２、ｘｏｄｔ，３＝「０１１」および「１００」）を定義することができる。８Ｃ−ＨＳＤＰＡ＋ＤＣ−ＨＳＵＰＡのためのすべての構成されたセカンダリキャリアを個別にアクティブ化／非アクティブ化するため、影無し領域および影付き領域から、それぞれ１つずつ、２つのＨＳ−ＳＣＣＨ命令を選択することができる。表８におけるブロックの外側（すなわち、「命令タイプ」および「命令」＝「０１０  １００」〜「１００  ０１１」によって定められる範囲の外）の一方のＨＳ−ＳＣＣＨ命令は、リリース１０とのバックワード互換性を維持するために４Ｃ−ＨＳＤＰＡ用に構成された、セカンダリサービングＨＳ−ＤＳＣＨセルおよびセカンダリアップリンク周波数をアクティブ化／非アクティブ化するために使用され、表８におけるブロック（すなわち、「命令タイプ」および「命令」＝「０１０  １００」〜「１００  ０１１」によって定められる範囲）に属する他方のＨＳ−ＳＣＣＨ命令は、８Ｃ−ＨＳＤＰＡ用の４つの追加的なセカンダリＤＬキャリア（すなわち、第４から第７のセカンダリサービングＨＳ−ＤＳＣＨセル）をアクティブ化／非アクティブ化するために使用される。表８における「ＮＡ」は、ＨＳ−ＳＣＣＨ命令が、対応するセカンダリサービングＨＳ−ＤＳＣＨセルおよびセカンダリアップリンク周波数に適用されない（すなわち、アクティブ化／非アクティブ化のために使用されない）ことを意味する。表８は一例として提供されるものであり、コマンドとビットのマッピングは任意の構成可能な方法で定義できることに留意されたい。
【０２１１】
【表８】
2013516927.tif 000012
【０２１２】
実施形態
１．マルチセル動作のためのＤＲＸおよび／またはＤＴＸを実行する方法。
【０２１３】
２．ＵＥが、複数のセルにおいてＤＲＸおよび／またはＤＴＸを制御するための少なくとも１つの状態変数を設定するステップを含む、実施形態１に記載の方法。
【０２１４】
３．ＵＥが、セルグループ毎に、セルのサブセットに関連付けられた状態変数に基づいて、セルのサブセットにおいてＤＲＸおよび／またはＤＴＸ動作を実行するステップを含む、実施形態２に記載の方法。
【０２１５】
４．グループ固有の状態変数が、セルのサブセット毎に設定され、セルのサブセット毎のＤＲＸおよび／またはＤＴＸ動作が、セルグループ毎に、関連付けられたグループ固有の状態変数に基づいて実行される、実施形態２〜３のいずれか１つに記載の方法。
【０２１６】
５．単一の状態変数が、すべてのセルのために設定され、セルのサブセット毎のＤＲＸおよび／またはＤＴＸ動作が、セルグループ毎に、単一の状態変数に基づいて実行される、実施形態２〜４のいずれか１つに記載の方法。
【０２１７】
６．ＵＥが、共通のＤＲＸ監視をすべてのセルに、グループ固有のＤＲＸ監視をセルの各グループに、またはセル固有のＤＲＸ監視を各セルに適用する、実施形態２〜５のいずれか１つに記載の方法。
【０２１８】
７．ＵＥが、ＤＲＸおよび／またはＤＴＸのアクティブ化／非アクティブ化のための指令を受信するステップをさらに含む、実施形態１〜６のいずれか１つに記載の方法。
【０２１９】
８．ＵＥが、指令に基づいて、ＤＲＸおよび／またはＤＴＸをアクティブ化／非アクティブ化するステップであって、指令は、すべてのセルに、セルのグループに、または個別のセルに適用される、ステップを含む、実施形態７に記載の方法。
【０２２０】
９．ＵＥが、非アクティビティタイマを使用して、セカンダリセルにおける、またはセカンダリセルを含むセルのグループにおけるアクティビティを監視するステップをさらに含む、実施形態１〜８のいずれか１つに記載の方法。
【０２２１】
１０．ＵＥが、セカンダリセルに関連付けられた非アクティビティタイマが満了したという条件で、セカンダリセルを、またはグループ内のすべてのセカンダリセルを自律的に非アクティブ化するステップを含む、実施形態９に記載の方法。
【０２２２】
１１．非アクティビティタイマは、セカンダリセルにおいて、またはグループ内のいずれかのセルにおいてアクティビティがあったときに初期化される、実施形態１０に記載の方法。
【０２２３】
１２．セカンダリセルをアクティブ化および非アクティブ化するための方法。
【０２２４】
１３．セカンダリセルをアクティブ化および／または非アクティブ化するためのＨＳ−ＳＣＣＨ指令を受信するステップを含む、実施形態１２に記載の方法。
【０２２５】
１４．ＨＳ−ＳＣＣＨ指令に従って、セカンダリセルをアクティブ化および／または非アクティブ化するステップであって、ＨＳ−ＳＣＣＨ指令は、セカンダリセルのサブセットに適用される、ステップを含む、実施形態１３に記載の方法。
【０２２６】
１５．セカンダリセルは、少なくとも２つのサブセットにグループ化され、第１のセブセット内のセカンダリセルは、個別にアクティブ化および／または非アクティブ化され、第２のセブセット内のセカンダリセルは、グループとしてアクティブ化および／または非
１６．セカンダリセルの第２のサブセットのための第２のＨＳ−ＳＣＣＨ指令を受信するステップをさらに含む、実施形態１５に記載の方法。
【０２２７】
１７．第２のＨＳ−ＳＣＣＨ指令に基づいて、セカンダリセルの第２のサブセットを個別に、またはセルのサブグループとしてアクティブ化および／または非アクティブ化するステップを含む、実施形態１６に記載の方法。
【０２２８】
１８．少なくとも１つのセカンダリセルをアクティブ化するステップを含む、実施形態１２に記載の方法。
【０２２９】
１９．非アクティビティタイマを使用して、セカンダリセルにおける、またはセカンダリセルを含むセルのグループにおけるアクティビティを監視するステップを含む、実施形態１８に記載の方法。
【０２３０】
２０．非アクティビティタイマが満了したという条件で、セカンダリセルを自律的に非アクティブ化するステップであって、非アクティビティタイマは、セカンダリセルにおいて、またはセカンダリセルを含むセルのグループにおいてアクティビティがあったときに初期化される、ステップを含む、実施形態１９に記載の方法。
【０２３１】
２１．セカンダリセルにおいてＤＲＸに入るステップであって、セカンダリセルにおいてＤＲＸに入った後に非アクティビティタイマが満了したという条件で、ＵＥが、セカンダリセルを自律的に非アクティブ化する、ステップをさらに含む、実施形態２０に記載の方法。
【０２３２】
２２．マルチセル動作のためのＤＲＸおよび／またはＤＴＸを実行するためのＵＥ。
【０２３３】
２３．複数のセルにおいてＤＲＸおよび／またはＤＴＸを制御するための少なくとも１つの状態変数を維持するように構成されたプロセッサを備える、実施形態２２に記載のＵＥ。
【０２３４】
２４．プロセッサは、セルグループ毎に、セルのサブセットに関連付けられた状態変数に基づいて、セルのサブセットにおいてＤＲＸおよび／またはＤＴＸ動作を実行するように構成される、実施形態２３に記載のＵＥ。
【０２３５】
２５．プロセッサは、セルのサブセット毎にグループ固有の状態変数を維持し、セルグループ毎に、関連付けられたグループ固有の状態変数に基づいて、セルのサブセット毎のＤＲＸおよび／またはＤＴＸ動作を実行するように構成される、実施形態２３〜２４のいずれか１つに記載のＵＥ。
【０２３６】
２６．プロセッサは、すべてのセルのために単一の状態変数を維持し、セルグループ毎に、単一の状態変数に基づいて、すべてのセルに対するＤＲＸおよび／またはＤＴＸをアクティブ化および非アクティブ化するように構成される、実施形態２３〜２５のいずれか１つに記載のＵＥ。
【０２３７】
２７．プロセッサは、共通のＤＲＸ監視をすべてのセルに、グループ固有のＤＲＸ監視をセルの各グループに、またはセル固有のＤＲＸ監視を各セルに適用するように構成される、実施形態２３〜２６のいずれか１つに記載のＵＥ。
【０２３８】
２８．プロセッサは、ＤＲＸおよび／またはＤＴＸのアクティブ化／非アクティブ化のための指令を受信するように構成される、実施形態２３〜２７のいずれか１つに記載のＵＥ。
【０２３９】
２９．プロセッサは、指令に基づいて、ＤＲＸおよび／またはＤＴＸをアクティブ化／非アクティブ化するように構成され、指令は、すべてのセルに、セルのグループに、または個別のセルに適用される、実施形態２８に記載のＵＥ。
【０２４０】
３０．プロセッサは、非アクティビティタイマを使用して、セカンダリセルにおける、またはセカンダリセルを含むセルのグループにおけるアクティビティを監視するように構成される、実施形態２３〜２９のいずれか１つに記載のＵＥ。
【０２４１】
３１．プロセッサは、セカンダリセルまたはセルのグループに関連付けられた非アクティビティタイマが満了したという条件で、セカンダリセルを、またはグループ内のすべてのセカンダリセルを自律的に非アクティブ化するように構成され、非アクティビティタイマは、セカンダリセルにおいて、またはグループ内のいずれかのセルにおいてアクティビティがあったときに初期化される、実施形態３０に記載のＵＥ。
【０２４２】
３２．セカンダリセルをアクティブ化および非アクティブ化するためのＵＥ。
【０２４３】
３３．セカンダリセルをアクティブ化および／または非アクティブ化するためのＨＳ−ＳＣＣＨ指令を受信するように構成されたプロセッサを備える、実施形態３２に記載のＵＥ。
【０２４４】
３４．プロセッサは、ＨＳ−ＳＣＣＨ指令に従って、セカンダリセルをアクティブ化および／または非アクティブ化するように構成され、ＨＳ−ＳＣＣＨ指令は、セカンダリセルのサブセットに適用される、実施形態３３に記載のＵＥ。
【０２４５】
３５．セカンダリセルは、少なくとも２つのサブセットにグループ化され、第１のセブセット内のセカンダリセルは、個別にアクティブ化および／または非アクティブ化され、第２のセブセット内のセカンダリセルは、グループとしてアクティブ化および／または非アクティブ化される、実施形態３３〜３４のいずれか１つに記載のＵＥ。
【０２４６】
３６．プロセッサは、セカンダリセルの第２のサブセットのための第２のＨＳ−ＳＣＣＨ指令を受信し、第２のＨＳ−ＳＣＣＨ指令に基づいて、セカンダリセルの第２のサブセットを個別に、またはセルのサブグループとしてアクティブ化および／または非アクティブ化するように構成される、実施形態３５に記載のＵＥ。
【０２４７】
３７．少なくとも１つのセカンダリセルをアクティブ化するように構成されたプロセッサを備える、実施形態３２に記載のＵＥ。
【０２４８】
３８．プロセッサは、非アクティビティタイマを使用して、セカンダリセルにおける、またはセカンダリセルを含むセルのグループにおけるアクティビティを監視するように構成される、実施形態３７に記載のＵＥ。
【０２４９】
３９．プロセッサは、非アクティビティタイマが満了したという条件で、セカンダリセルを自律的に非アクティブ化するように構成され、非アクティビティタイマは、セカンダリセルにおいて、またはセカンダリセルを含むセルのグループにおいてアクティビティがあったときに初期化される、実施形態３８に記載のＵＥ。
【０２５０】
４０．プロセッサは、セカンダリセルにおいてＤＲＸに入り、セカンダリセルにおいてＤＲＸに入った後に非アクティビティタイマが満了したという条件で、セカンダリセルを自律的に非アクティブ化するように構成される、実施形態３７〜３９のいずれか１つに記載のＵＥ。
【０２５１】
上では特徴および要素を特定の組み合わせで説明したが、各特徴または要素を単独で、または他の特徴および要素との任意の組み合わせで使用できることを当業者であれば理解されよう。加えて、本明細書で説明した方法は、コンピュータまたはプロセッサによって実行する、コンピュータ読取り可能媒体内に包含された、コンピュータプログラム、ソフトウェア、またはファームウェアで実施することができる。コンピュータ読取り可能媒体の例は、（有線接続または無線接続を介して送信される）電子信号と、コンピュータ読取り可能記憶媒体とを含む。コンピュータ読取り可能記憶媒体の例は、リードオンリメモリ（ＲＯＭ）、ランダムアクセスメモリ（ＲＡＭ）、レジスタ、キャッシュメモリ、半導体メモリデバイス、内蔵ハードディスクおよび着脱可能ディスクなどの磁気媒体、光磁気媒体、ならびにＣＤ−ＲＯＭディスクおよびデジタル多用途ディスク（ＤＶＤ）などの光媒体を含むが、これらに限定されない。ソフトウェアと連携するプロセッサは、ＷＴＲＵ、ＵＥ、端末、基地局、ＲＮＣ、または任意のホストコンピュータにおいて使用する無線周波数送受信機を実施するために使用することができる。
【図１Ａ】
2013516927.tif 000013
【図１Ｂ】
2013516927.tif 000014
【図１Ｃ】
2013516927.tif 000015
【図２】
2013516927.tif 000016
【図３】
2013516927.tif 000017
【図４】
2013516927.tif 000018
【図５】
2013516927.tif 000019
【手続補正書】
【提出日】平成24年9月5日(2012.9.5)
【手続補正１】
【補正対象書類名】特許請求の範囲
【補正対象項目名】全文
【補正方法】変更
【補正の内容】
【特許請求の範囲】
【請求項１】
マルチセル動作のための不連続受信（ＤＲＸ）および／または不連続送信（ＤＴＸ）を実行する方法において、
ユーザ機器（ＵＥ）が、セルの複数のサブセットの各サブセットにおいてＤＲＸおよび／またはＤＴＸを制御する少なくとも１つの状態変数を設定するステップであって、セルは、セルの複数のサブセットにグループ化されている、設定するステップと、
前記ＵＥが、セルグループ毎に、セルの各サブセットに関連付けられた状態変数に基づいて、セルの各サブセットにおいてＤＲＸおよび／またはＤＴＸ動作を実行するステップと
を備えることを特徴とする方法。
【請求項２】
グループ固有の状態変数が、セルのサブセット毎に設定され、セルのサブセット毎のＤＲＸおよび／またはＤＴＸ動作が、セルグループ毎に、関連付けられたグループ固有の状態変数に基づいて実行されることを特徴とする請求項１に記載の方法。
【請求項３】
単一の状態変数が、すべてのセルのために設定され、セルのサブセット毎のＤＲＸおよび／またはＤＴＸ動作が、セルグループ毎に、前記単一の状態変数に基づいて実行されることを特徴とする請求項１に記載の方法。
【請求項４】
前記ＵＥは、共通のＤＲＸ監視をすべてのセルに、グループ固有のＤＲＸ監視をセルの各グループに、または、セル固有のＤＲＸ監視を各セルに適用することを特徴とする請求項１に記載の方法。
【請求項５】
前記ＵＥが、ＤＲＸおよび／またはＤＴＸのアクティブ化／非アクティブ化のための命令を受信するステップと、
前記ＵＥが、前記命令に基づいて、ＤＲＸおよび／またはＤＴＸをアクティブ化／非アクティブ化するステップであって、前記命令は、すべてのセルに、セルのグループに、または個別のセルに適用される、ステップと
をさらに備えることを特徴とする請求項１に記載の方法。
【請求項６】
セカンダリセルをアクティブ化および非アクティブ化する方法において、
複数のセカンダリセルの中のグループとして、セカンダリセルのサブセットをアクティブ化および／または非アクティブ化する高速共用制御チャネル（ＨＳ−ＳＣＣＨ）命令を受信するステップと、
前記ＨＳ−ＳＣＣＨ命令に従って、前記サブセットに属する前記セカンダリセルをアクティブ化および／または非アクティブ化するステップであって、前記サブセットに属するセカンダリセルは、対応するＨＳ−ＳＣＣＨ命令に応答して、グループとして同時にアクティブ化または非アクティブ化される、ステップと
を備えることを特徴とする方法。
【請求項７】
第１のセブセット内のセカンダリセルは、個別にアクティブ化および／または非アクティブ化され、第２のセブセット内のセカンダリセルは、グループとしてアクティブ化および／または非アクティブ化されることを特徴とする請求項６に記載の方法。
【請求項８】
セカンダリセルの前記第２のサブセットのための第２のＨＳ−ＳＣＣＨ命令を受信するステップと、
前記第２のＨＳ−ＳＣＣＨ命令に基づいて、セカンダリセルの前記第２のサブセットを個別に、またはセルのサブグループとしてアクティブ化および／または非アクティブ化するステップと
をさらに備えることを特徴とする請求項７に記載の方法。
【請求項９】
セカンダリセルをアクティブ化および非アクティブ化する方法において、
ユーザ機器（ＵＥ）が、少なくとも１つのセカンダリセルをアクティブ化するステップと、
前記ＵＥが、セルのグループのために設定された非アクティビティタイマを使用して、前記セカンダリセルを含むセルの前記グループにおけるアクティビティを監視するステップと、
前記ＵＥが、セルの前記グループに関連付けられた前記非アクティビティタイマが満了したという条件で、前記グループ内のセカンダリセルを自律的に非アクティブ化するステップであって、前記非アクティビティタイマは、セルの前記グループ内のいずれかのセルにおいてアクティビティがあったときに初期化される、非アクティブ化するステップと
を備えることを特徴とする方法。
【請求項１０】
前記ＵＥが、セルの前記グループにおいて不連続受信（ＤＲＸ）に入るステップであって、セルの前記グループにおいてＤＲＸに入った後に前記非アクティビティタイマが満了したという条件で、前記ＵＥが、前記グループ内の前記セカンダリセルを自律的に非アクティブ化する、ステップ
をさらに備えることを特徴とする請求項９に記載の方法。
【請求項１１】
マルチセル動作のための不連続受信（ＤＲＸ）および／または不連続送信（ＤＴＸ）を実行するユーザ機器（ＵＥ）において、
セルの複数のサブセットの各サブセットにおいてＤＲＸおよび／またはＤＴＸを制御する少なくとも１つの状態変数を維持するよう構成され、セルは、セルの複数のサブセットにグループ化され、および、
セルグループ毎に、セルの各サブセットに関連付けられた状態変数に基づいて、セルの各サブセットにおいてＤＲＸおよび／またはＤＴＸ動作を実行するように構成されたプロセッサ
を備えたことを特徴とするＵＥ。
【請求項１２】
前記プロセッサは、セルのサブセット毎にグループ固有の状態変数を維持し、および、セルグループ毎に、関連付けられたグループ固有の状態変数に基づいて、セルのサブセット毎のＤＲＸおよび／またはＤＴＸ動作を実行するように構成されることを特徴とする請求項１１に記載のＵＥ。
【請求項１３】
前記プロセッサは、すべてのセルのために単一の状態変数を維持し、および、セルグループ毎に、前記単一の状態変数に基づいて、セルのサブセット毎のＤＲＸおよび／またはＤＴＸをアクティブ化および非アクティブ化するように構成されることを特徴とする請求項１１に記載のＵＥ。
【請求項１４】
前記プロセッサは、共通のＤＲＸ監視をすべてのセルに、グループ固有のＤＲＸ監視をセルの各グループに、またはセル固有のＤＲＸ監視を各セルに適用するように構成されることを特徴とする請求項１１に記載のＵＥ。
【請求項１５】
前記プロセッサは、ＤＲＸおよび／またはＤＴＸのアクティブ化／非アクティブ化のための命令を受信し、および、前記命令に基づいて、ＤＲＸおよび／またはＤＴＸをアクティブ化／非アクティブ化するように構成され、
前記命令は、すべてのセルに、セルのグループに、または個別のセルに適用されることを特徴とする請求項１１に記載のＵＥ。
【請求項１６】
セカンダリセルをアクティブ化および非アクティブ化するユーザ機器（ＵＥ）において、
複数のセカンダリセルの中のグループとして、セカンダリセルのサブセットをアクティブ化および／または非アクティブ化する高速共用制御チャネル（ＨＳ−ＳＣＣＨ）命令を受信し、および、前記ＨＳ−ＳＣＣＨ命令に従って、前記サブセットに属する前記セカンダリセルをアクティブ化および／または非アクティブ化するように構成されたプロセッサであって、前記サブセットに属するセカンダリセルは、対応するＨＳ−ＳＣＣＨ命令に応答して、グループとして同時にアクティブ化または非アクティブ化される、プロセッサ
を備えたことを特徴とするＵＥ。
【請求項１７】
前記セカンダリセルは、少なくとも２つのサブセットにグループ化され、第１のセブセット内のセカンダリセルは、個別にアクティブ化および／または非アクティブ化され、第２のセブセット内のセカンダリセルは、グループとしてアクティブ化および／または非アクティブ化されることを特徴とする請求項１６に記載のＵＥ。
【請求項１８】
前記プロセッサは、セカンダリセルの前記第２のサブセットのための第２のＨＳ−ＳＣＣＨ命令を受信し、並びに、前記第２のＨＳ−ＳＣＣＨ命令に基づいて、セカンダリセルの前記第２のサブセットを個別に、またはセルのサブグループとしてアクティブ化および／または非アクティブ化するように構成されることを特徴とする請求項１７に記載のＵＥ。
【請求項１９】
セカンダリセルをアクティブ化および非アクティブ化するユーザ機器（ＵＥ）において、
少なくとも１つのセカンダリセルをアクティブ化し、
セルのグループのために設定された非アクティビティタイマを使用して、前記セカンダリセルを含むセルの前記グループにおけるアクティビティを監視し、および、
セルの前記グループに関連付けられた前記非アクティビティタイマが満了したという条件で、前記グループ内のセカンダリセルを自律的に非アクティブ化するように構成されたプロセッサであって、前記非アクティビティタイマは、セルの前記グループ内のいずれかのセルにおいてアクティビティがあったときに初期化される、プロセッサ
を備えたことを特徴とするＵＥ。
【請求項２０】
前記プロセッサは、セルの前記グループにおいて不連続受信（ＤＲＸ）に入り、および、セルの前記グループにおいてＤＲＸに入った後に前記非アクティビティタイマが満了したという条件で、前記グループ内の前記セカンダリセルを自律的に非アクティブ化するように構成されることを特徴とする請求項１９に記載のＵＥ。
【国際調査報告】
2013516927.tif 000020
2013516927.tif 000021
2013516927.tif 000022
2013516927.tif 000023